(57)【要約】【課題】イレギュラーな状態でも電子機器を安定な状態に保ち、低消費電力の待機動作を可能にする。【解決手段】負荷回路（１２）及び第一の制御部（１３）は、第一のスイッチ部（５）を介してメイン電源（２）に接続され、第二の制御部（１４）は、第二のスイッチ部（８）を介してメイン電源（２）に接続された充電型電源（１０）により給電される。第一及び第二のスイッチ部（５，８）は、メイン電源（２）の電圧の立ち上がり時にオンとなる。第二の制御部（１４）は、充電型電源（１０）の電圧、メイン電源（２）の電圧の検出結果に応じて、第一及び第二のスイッチ部（５，８）を制御する。【選択図】図１
2014014255.tif 000002
【特許請求の範囲】
【請求項１】
負荷回路の動作を制御する第一の制御部と、
前記第一の制御部及び前記負荷回路へのメイン電源からの電力の供給をオン、オフする第一のスイッチ部と、
前記メイン電源からの電力の供給をオン、オフする第二のスイッチ部と、
前記メイン電源から前記第一のスイッチ部を介さず、かつ前記第二のスイッチ部を介して電力を供給されて充電される充電型電源と、
前記充電型電源から電力の供給を受けて前記第一のスイッチ部及び前記第二のスイッチ部を制御する第二の制御部と、
前記充電型電源の出力電圧を検出して、検出結果を示す充電型電源電圧検出信号を前記第二の制御部に供給する充電型電源電圧検出回路と、
前記メイン電源に、前記第一のスイッチ部及び前記第二のスイッチ部のいずれをも介することなく接続され、前記メイン電源の出力電圧の立ち上がり時に前記第一のスイッチ部及び前記第二のスイッチ部を一定時間オン状態にするための固定時間信号を出力する固定回路と、
前記メイン電源の電圧を検出して、検出結果を示すメイン電源電圧検出信号を前記第二の制御部に供給するメイン電源電圧検出回路とを備え、
前記第一の制御部は前記負荷回路についてのオン／オフ情報を、前記第二の制御部に供給し、
前記第二の制御部は、前記メイン電源電圧検出信号、前記オン／オフ情報、前記充電型電源電圧検出信号に応じて、
前記第一のスイッチ部をオン状態にするための第一の制御信号、及び前記第二のスイッチ部をオン状態にするための第二の制御信号を出力するか否かの制御を行い、
前記第一の制御信号と前記第一のスイッチ部を一定時間オン状態にするための前記固定時間信号が前記第一のスイッチ部に入力され、前記第一の制御信号及び前記固定時間信号の少なくとも一方によりオン状態が指示されているときに、前記第一のスイッチ部がオン状態にされ、
前記第二の制御信号と前記第二のスイッチ部を一定時間オン状態にするための前記固定時間信号が前記第二のスイッチ部に入力され、前記第二の制御信号及び前記固定時間信号の少なくとも一方によりオン状態が指示されているときに、前記第二のスイッチ部がオン状態にされるよう構成されている
ことを特徴とする電源供給装置。
【請求項２】
前記第二の制御部には、手動による割り込み信号が入力されるように構成され、
前記第二の制御部は、前記メイン電源電圧検出信号、前記オン／オフ情報、及び前記充電型電源電圧検出信号のみならず、前記割り込み信号状態にも基づいて、
前記第一のスイッチ部をオン状態にするための前記第一の制御信号、及び前記第二のスイッチ部をオン状態にするための前記第二の制御信号を出力するか否かの制御を行う
ことを特徴とする請求項１に記載の電源供給装置。
【請求項３】
前記第二の制御部は、前記メイン電源電圧検出信号が、前記メイン電源電圧が所定の閾値以上であることを示すものであるか否かの判定を他の処理に優先して行い、
前記メイン電源電圧検出信号が、前記メイン電源電圧が前記所定の閾値未満であることを示すものである場合には、前記第一のスイッチ部及び前記第二のスイッチ部をオフ状態で固定し、前記第二の制御部における前記割り込み信号に応じた割り込み処理を禁止する
ことを特徴とする請求項２に記載の電源供給装置。
【請求項４】
負荷回路の動作を制御する第一の制御部と、
前記第一の制御部及び前記負荷回路へのメイン電源からの電力の供給をオン、オフする第一のスイッチ部と、
前記メイン電源からの電力の供給をオン、オフする第二のスイッチ部と、
前記メイン電源から前記第一のスイッチ部を介さず、かつ前記第二のスイッチ部を介して電力を供給されて充電される充電型電源と、
前記充電型電源から電力の供給を受けて前記第一のスイッチ部及び前記第二のスイッチ部を制御する第二の制御部と、
前記メイン電源に、前記第一のスイッチ部及び前記第二のスイッチ部のいずれをも介することなく接続され、前記メイン電源の出力電圧の立ち上がり時に前記第一のスイッチ部を一定時間オン状態にするための信号を出力する第一の固定回路と、
前記メイン電源に、前記第一のスイッチ部及び前記第二のスイッチ部のいずれをも介することなく接続され、前記メイン電源の出力電圧の立ち上がり時に前記第二のスイッチ部を一定時間オン状態にするための信号を出力する第二の固定回路と、
前記メイン電源に、前記第一のスイッチ部を介して接続され、前記第一のスイッチ部の出力電圧の立ち上がり時にリセットパルスを発生して前記第一の制御部に供給して、前記第一の制御部に初期化を行わせる第一のリセット回路と、
前記メイン電源に、前記第一のスイッチ部及び前記第二のスイッチ部のいずれをも介することなく接続され、前記メイン電源の出力電圧の立ち上がり時にリセットパルスを発生して前記第二の制御部に供給する第二のリセット回路とを備え、
前記第二の制御部は前記第二のリセット回路が出力する前記リセットパルスにより初期化されて動作を開始し、初期化の完了後、前記第一のスイッチ部をオン状態にするための第一の制御信号、及び前記第二のスイッチ部をオン状態にするための第二の制御信号を出力し、
前記第一の制御信号と、前記第一のスイッチ部を一定時間オン状態にするための前記第一の固定回路からの信号が前記第一のスイッチ部に入力され、少なくとも前記第一の制御信号か、前記第一の固定回路からの信号がオン状態を指示しているときに、前記第一のスイッチ部がオン状態にされ、
前記第二の制御信号と、前記第二のスイッチ部を一定時間オン状態にするための前記第二の固定回路からの信号が前記第二のスイッチ部に入力され、少なくとも前記第二の制御信号か、前記第二の固定回路からの信号がオン状態を指示しているときに、前記第二のスイッチ部がオン状態にされるよう構成されている
ことを特徴とする電源供給装置。
【請求項５】
前記第一の固定回路から出力される、前記第一のスイッチ部をオン状態にするための信号の持続時間、及び前記第二の固定回路から出力される、前記第二のスイッチ部をオン状態にするための信号の持続時間が、前記第二のリセット回路から出力される前記リセットパルスの持続時間よりも長いことを特徴とする請求項４に記載の電源供給装置。
【請求項６】
前記第二の制御部において、前記第二のリセット回路によるリセットパルスに応じて開始した初期化が完了するまで、前記第一の固定回路及び前記第二の固定回路からの、前記第一のスイッチ部及び前記第二のスイッチ部をオン状態にするための信号の出力が続けられ、
前記第一の制御部は、前記第一の制御部の初期化の完了後に、前記負荷回路についてのオン／オフ情報を前記第二の制御部に供給し、
前記第二の制御部は、前記第二の制御部の初期化の完了後に前記第一の制御部から前記オン／オフ情報が供給されるまで、前記第一のスイッチ部及び前記第二のスイッチ部をオン状態にするための前記第一及び第二の制御信号を出力し、
前記第二の制御部は、前記オン／オフ情報の供給を受けた時は、前記オン／オフ情報に基づいて前記第一のスイッチ部を制御し、
前記オン／オフ情報は、前記第一の制御部の前記初期化に先立って前記負荷回路への電力供給が停止したときに、前記負荷回路がパワーオン状態であったか否かを示す
ことを特徴とする請求項４又は５に記載の電源供給装置。
【請求項７】
前記第二の制御部は、前記オン／オフ情報に基づく前記第一のスイッチ部の制御に当たり、前記第一のスイッチ部を、前記オン／オフ情報で示される状態に対応した状態になるように制御を行う
ことを特徴とする請求項１又は６に記載の電源供給装置。
【請求項８】
前記第二の制御部は、前記第一の制御部から前記オン／オフ情報の供給を受けた後、操作入力に応じた前記第二の制御部への割り込み信号に基づいて、前記第一のスイッチ部に対する制御を行う
ことを特徴とする請求項１、６又は７に記載の電源供給装置。
【請求項９】
前記第二の制御部は、前記第一の制御部から前記オン／オフ情報の供給を受けた後、前記充電型電源の出力電圧に基づいて前記第二のスイッチ部を制御する
ことを特徴とする請求項１、６乃至８のいずれかに記載の電源供給装置。
【請求項１０】
前記第二の制御部は、前記メイン電源の出力電圧を検出し、検出結果に応じて、前記第一のスイッチ部及び前記第二のスイッチ部に対する制御を行う
ことを特徴とする請求項９に記載の電源供給装置。
【請求項１１】
前記第二の制御部は、前記メイン電源の出力電圧が所定の閾値より低くなったときは、前記第一のスイッチ部及び前記第二のスイッチ部をオン状態にするための前記第一及び第二の制御信号の出力を停止する
ことを特徴とする請求項１０に記載の電源供給装置。
【請求項１２】
前記第二の制御部による制御のうち、
前記メイン電源の出力電圧に基づく前記第一のスイッチ部及び前記第二のスイッチ部に対する制御のための処理が、前記オン／オフ情報に基づく前記第一のスイッチ部に対する制御のための処理よりも優先して行われ、
前記オン／オフ情報に基づく前記第一のスイッチ部に対する制御のための処理が、前記充電型電源の出力電圧に基づく前記第二のスイッチ部に対する制御のための処理よりも優先して行われる
ことを特徴とする請求項１１に記載の電源供給装置。
【請求項１３】
前記第二の制御部は、前記メイン電源の出力電圧に基づく前記第一のスイッチ部及び第二のスイッチ部に対する制御のための処理、及び前記オン／オフ情報に基づく前記第一のスイッチ部に対する制御のための処理を実施しているときは、操作入力に応じた割り込み処理を行わない
ことを特徴とする請求項９乃至１２のいずれかに記載の電源供給装置。
【請求項１４】
前記第二の制御部は、前記メイン電源の出力電圧が所定の閾値より低くなったときは、操作入力に応じた割り込み処理を行わない
ことを特徴とする請求項１乃至１０のいずれかに記載の電源供給装置。
【請求項１５】
前記充電型電源の出力電圧で給電されるように接続されたインジケータ素子をさらに備え、
前記第二の制御部は、前記メイン電源の出力電圧が所定の閾値より低くなったときに、前記インジケータ素子を点灯又は点滅させるための制御を開始する
ことを特徴とする請求項１乃至１０のいずれかに記載の電源供給装置。
【請求項１６】
前記第二の制御部は、前記メイン電源の出力電圧が所定の閾値より低くなったときに、前記第二の制御部がスリープモードに移行する
ことを特徴とする請求項４乃至１０のいずれかに記載の電源供給装置。
【請求項１７】
前記第二の制御部の動作クロックが、前記第一の制御部の動作クロックよりも低周波数のものである
ことを特徴とする請求項１乃至１６のいずれかに記載の電源供給装置。
【請求項１８】
請求項１乃至１６のいずれかに記載の電源供給装置と、前記負荷回路とを備え、
前記負荷回路が映像を表示するための処理を行なうものである
ことを特徴とする映像表示装置。
【発明の詳細な説明】
【技術分野】
【０００１】
本発明は、負荷回路に電源電圧を供給するための電源供給装置、並びにそのような電源供給装置を備えた映像表示装置に関する。
【背景技術】
【０００２】
電源供給装置は、負荷回路の状態に応じて、負荷回路での消費電力を含めて、消費電力を少なくするように動作すると共に、「入力電圧が無くなった（停電状態）」、「入力電圧が復帰した」、「起動中である」などのイレギュラーな（非定常的な）状態でも電子機器を安定な状態に保つと同時に消費電力も低く保つように動作する必要がある。
【０００３】
特許文献１に記載された、電子機器例えばビデオカセットレコーダのための低消費電力装置は、バックアップ機能がある電源電圧（バックアップ素子を含む電源供給手段の出力電圧）を監視して負荷をオン、オフするマイコンによって消費電力を抑えると共に、そのマイコンが通常動作モードと、低クロック動作モードを遷移しながら動作することを特徴としたものである。
しかし、上記マイコンはバックアップ機能がある電源電圧を検出するものの、ＡＣ入力の有無を検出しておらず、停電などのイレギュラーな状態を判別することができず、そのイレギュラーな状態において安定した処理を行うことができない。さらにＡＣ入力が無い状態でバックアップ電圧レベルが十分な状態のときに、パワーオン命令を受信すると電子機器が通常動作を行うことができないにも拘わらず、起動しようとしてマイコンは通常動作に遷移し、バックアップ電力を無駄に消費してしまう。
【０００４】
特許文献２に記載された、電気電子機器のための低消費電力回路は、バックアップ機能がある電源電圧（スーパーキャパシター、二次電池、太陽電池などで構成される電源供給回路の出力電圧）が十分であるときは、おおもとのＡＣ入力をラッチングリレーによって切断するように構成している。その結果リレー切断状態の保持に必要な電力を削減して低消費電力化を図ることを特徴としている。しかし、その制御回路やマイコンはバックアップ機能がある電源電圧を検出するものの、ＡＣ入力の有無を検出していないため、停電などのイレギュラーな状態を判別することができず、そのイレギュラーな状態で安定した動作を行うことができない。さらにＡＣ入力が無い状態でバックアップ電圧レベルが十分な状態のときに、パワーオン命令を受信すると電気電子機器が通常動作を行うことができないにも拘わらず、起動しようとしてマイコンは前記のラッチングリレーをオンしてしまう。その結果、バックアップ電力を無駄に消費してしまう。
【０００５】
特許文献３に記載されたバックアップ電源回路は、電源スイッチと連動してラッチングリレー（自己保持型リレー）を制御して充電電源を負荷回路に接続する構造を有し、電源スイッチが切断されているのか、ＡＣ入力が低下した状態なのかを判別して、電源スイッチがオン状態で、かつＡＣ入力が低下した場合に、負荷回路を低消費電力モードにし、さらに、充電電源電圧が低下した場合でも、負荷回路をリセットするだけで、負荷回路を遮断せずに接続状態を保持し続けることを特徴としている。しかしながら、「負荷回路を遮断せずに保持しながら、消費電力抑制を図る」ことを意図しているため、消費電力を抑制する機能が十分ではない。
【０００６】
特許文献４に記載されたスイッチング電源を備えた電子機器は、変圧器の一次側のスイッチング電源をフォトＭＯＳリレーによって二次側から停止できるように構成するとともに、二次側にはメインＣＰＵ、電源管理ＣＰＵ、ラッチ回路、セレクタ回路、蓄電回路を配置している。低消費電力待機モードにはメインＣＰＵ、電源管理ＣＰＵへの電力供給を停止し、蓄電回路から供給される電力でラッチ回路とセレクタ回路とフォトＭＯＳリレーだけを駆動して消費電力削減を図ることを特徴としている。しかし、蓄電電圧検出手段もパワーボタン状態検出手段も備えていないため、管理用ＣＰＵは低消費電力待機モードからの復帰が蓄電電圧のダウンによるものか、パワーボタンが押されたものによるのか判断できる構成になっていない。それゆえ、蓄電電圧ダウンによってスイッチング電源が再起動したとき、再び低消費電力待機モードにならず通常動作モードで復帰する構成になっている。またフォトＭＯＳリレーを持続駆動させるには機械式リレーほどではないものの、ミリアンペアオーダーの電流で制御する必要があり、蓄電回路にとって重い負荷になる。
【先行技術文献】
【特許文献】
【０００７】
【特許文献１】特許第３４４９１１２号（第４頁、図１、図２、）
【特許文献２】特許第３４７１２８３号（第５頁、第１０頁、図１、図１５、図１６、図１７）
【特許文献３】特許第３６８８４７４号（第３頁、図１）
【特許文献４】特許第３９９７３２８号（第６頁、図２）
【発明の概要】
【発明が解決しようとする課題】
【０００８】
このような低消費電力化を実現することを特徴とする電力装置、電源回路はイレギュラー状態でも安定してかつ低消費電力で動作させることを考慮しておらず、或いはイレギュラーな状態に対応可能とするには、変圧器の一次側と二次側との間で信号をやり取りする必要があり、結果として目的とする低消費電力化が十分に達成できないことになる。
そこで、停電状態のようなイレギュラーな非定常状態でも低消費電力の安定動作を可能にすることが本発明において解決しようとする課題である。
【課題を解決するための手段】
【０００９】
本発明の一つの態様の電源供給装置は、
負荷回路の動作を制御する第一の制御部と、
前記第一の制御部及び前記負荷回路へのメイン電源からの電力の供給をオン、オフする第一のスイッチ部と、
前記メイン電源からの電力の供給をオン、オフする第二のスイッチ部と、
前記メイン電源から前記第一のスイッチ部を介さず、かつ前記第二のスイッチ部を介して電力を供給されて充電される充電型電源と、
前記充電型電源から電力の供給を受けて前記第一のスイッチ部及び前記第二のスイッチ部を制御する第二の制御部と、
前記充電型電源の出力電圧を検出して、検出結果を示す充電型電源電圧検出信号を前記第二の制御部に供給する充電型電源電圧検出回路と、
前記メイン電源に、前記第一のスイッチ部及び前記第二のスイッチ部のいずれをも介することなく接続され、前記メイン電源の出力電圧の立ち上がり時に前記第一のスイッチ部及び前記第二のスイッチ部を一定時間オン状態にするための固定時間信号を出力する固定回路と、
前記メイン電源の電圧を検出して、検出結果を示すメイン電源電圧検出信号を前記第二の制御部に供給するメイン電源電圧検出回路とを備え、
前記第一の制御部は前記負荷回路についてのオン／オフ情報を、前記第二の制御部に供給し、
前記第二の制御部は、前記メイン電源電圧検出信号、前記オン／オフ情報、前記充電型電源電圧検出信号に応じて、
前記第一のスイッチ部をオン状態にするための第一の制御信号、及び前記第二のスイッチ部をオン状態にするための第二の制御信号を出力するか否かの制御を行い、
前記第一の制御信号と前記第一のスイッチ部を一定時間オン状態にするための前記固定時間信号が前記第一のスイッチ部に入力され、前記第一の制御信号及び前記固定時間信号の少なくとも一方によりオン状態が指示されているときに、前記第一のスイッチ部がオン状態にされ、
前記第二の制御信号と前記第二のスイッチ部を一定時間オン状態にするための前記固定時間信号が前記第二のスイッチ部に入力され、前記第二の制御信号及び前記固定時間信号の少なくとも一方によりオン状態が指示されているときに、前記第二のスイッチ部がオン状態にされるよう構成されている
ことを特徴とする。
【００１０】
本発明の他の態様の電源供給装置は、
負荷回路の動作を制御する第一の制御部と、
前記第一の制御部及び前記負荷回路へのメイン電源からの電力の供給をオン、オフする第一のスイッチ部と、
前記メイン電源からの電力の供給をオン、オフする第二のスイッチ部と、
前記メイン電源から前記第一のスイッチ部を介さず、かつ前記第二のスイッチ部を介して電力を供給されて充電される充電型電源と、
前記充電型電源から電力の供給を受けて前記第一のスイッチ部及び前記第二のスイッチ部を制御する第二の制御部と、
前記メイン電源に、前記第一のスイッチ部及び前記第二のスイッチ部のいずれをも介することなく接続され、前記メイン電源の出力電圧の立ち上がり時に前記第一のスイッチ部を一定時間オン状態にするための信号を出力する第一の固定回路と、
前記メイン電源に、前記第一のスイッチ部及び前記第二のスイッチ部のいずれをも介することなく接続され、前記メイン電源の出力電圧の立ち上がり時に前記第二のスイッチ部を一定時間オン状態にするための信号を出力する第二の固定回路と、
前記メイン電源に、前記第一のスイッチ部を介して接続され、前記第一のスイッチ部の出力電圧の立ち上がり時にリセットパルスを発生して前記第一の制御部に供給して、前記第一の制御部に初期化を行わせる第一のリセット回路と、
前記メイン電源に、前記第一のスイッチ部及び前記第二のスイッチ部のいずれをも介することなく接続され、前記メイン電源の出力電圧の立ち上がり時にリセットパルスを発生して前記第二の制御部に供給する第二のリセット回路とを備え、
前記第二の制御部は前記第二のリセット回路が出力する前記リセットパルスにより初期化されて動作を開始し、初期化の完了後、前記第一のスイッチ部をオン状態にするための第一の制御信号、及び前記第二のスイッチ部をオン状態にするための第二の制御信号を出力し、
前記第一の制御信号と、前記第一のスイッチ部を一定時間オン状態にするための前記第一の固定回路からの信号が前記第一のスイッチ部に入力され、少なくとも前記第一の制御信号か、前記第一の固定回路からの信号がオン状態を指示しているときに、前記第一のスイッチ部がオン状態にされ、
前記第二の制御信号と、前記第二のスイッチ部を一定時間オン状態にするための前記第二の固定回路からの信号が前記第二のスイッチ部に入力され、少なくとも前記第二の制御信号か、前記第二の固定回路からの信号がオン状態を指示しているときに、前記第二のスイッチ部がオン状態にされるよう構成されている
ことを特徴とする。
【発明の効果】
【００１１】
本発明によれば、「入力電圧が無くなった」、「入力電圧が復帰した」、「起動中である」などのイレギュラー（非定常的）な状態でも安定に動作することができるとともに、電力消費を低く抑えることができる。
【図面の簡単な説明】
【００１２】
【図１】本発明の実施の形態１に係る電源供給装置を示すブロック構成図である。
【図２】（ａ）〜（ｈ）は、図１の装置において、メイン電源２から電力供給が開始されたときの、固定回路の出力に基づく、第一及び第二のスイッチ部の動作を示すタイミング図である。
【図３】実施の形態１に係る第二の制御部１４における処理の手順を示すフロー図である。
【図４】本発明の実施の形態２に係る電源供給装置を示すブロック構成図である。
【図５】実施の形態１に係る第二の制御部１４における処理の手順を示すフロー図である。
【図６】本発明の実施の形態３に係る電源供給装置を示すブロック構成図である。
【図７】実施の形態３に係る第一の固定回路３と、第一のスイッチ部５の構成例を示す結線図である。
【図８】実施の形態３に係る第二の固定回路４と、第二のスイッチ部８の構成例を示す結線図である。
【図９】（ａ）〜（ｇ）は、図６の装置において、メイン電源２から電力供給が開始されたときの、第一及び第二の固定回路の出力に基づく、第一及び第二のスイッチ部の動作を示すタイミング図である。
【図１０】（ａ）〜（ｍ）は、図６の装置において、メイン電源２から電力供給が開始されたときの、各部の動作を示すタイミング図である。
【図１１】（ａ）及び（ｂ）は、実施の形態３に係る、充電型電源１０の出力電圧に基づく、第二のスイッチ部８の制御の一例を示すタイミング図である。
【図１２】（ａ）及び（ｂ）は、実施の形態３に係る、充電型電源１０の出力電圧に基づく、第二のスイッチ部８の制御の他の例を示すタイミング図である。
【図１３】実施の形態３に係る第二の制御部１４における処理の優先順位を示すフロー図である。
【図１４】実施の形態３に係る第二の制御部１４による処理における割り込み処理の禁止範囲を示すフロー図である。
【図１５】実施の形態３に係る第二の制御部１４による、メイン電源２の出力電圧に応じた第一及び第二のスイッチ部５、８に対する制御を示すフロー図である。
【図１６】（ａ）〜（ｄ）は、実施の形態３に係る第二の制御部１４による、メイン電源２の出力電圧に応じた第一及び第二のスイッチ部５、８に対する制御を示すタイミング図である。
【図１７】本発明の実施の形態４に係る電源供給装置を示すブロック構成図である。
【図１８】実施の形態４に係る第二の制御部１４による処理を示すフロー図である。
【図１９】（ａ）〜（ｄ）は、実施の形態４に係る第二の制御部１４による、インジケータ素子１７の駆動制御を示すタイミング図である。
【図２０】本発明の実施の形態５に係る電源供給装置の動作を示すフロー図である。
【図２１】本発明の実施の形態６に係る映像表示装置を示すブロック構成図である。
【発明を実施するための形態】
【００１３】
実施の形態１．
図１は、本発明の実施の形態１に係る電源供給装置と負荷回路とを含む電子機器を示す。図１において、負荷回路１２以外の部分により、本実施の形態の電源供給装置が構成されている。すなわちこの電源供給装置は、固定回路６と、第一及び第二のスイッチ部５、８と、充電型電源１０と、第一及び第二の制御部１３、１４と、充電型電源電圧検出回路７と、メイン電源電圧検出回路１９とを有する。
メイン電源２には、商用電源からの交流電圧入力（交流電源入力）１が供給される。メイン電源２は、内部に変圧器、及び整流器を含み、直流の電圧Ｖ０を出力する。
【００１４】
負荷回路１２には、メイン電源２から第一のスイッチ部５を介して電力が供給される。第一の制御部１３は、負荷回路１２と同様に、メイン電源２から第一のスイッチ部５を介して電力の供給を受け、負荷回路１２の動作を制御する。
固定回路６は、メイン電源２に第一のスイッチ部５及び第二のスイッチ部８のいずれをも介することなく接続されている。
【００１５】
充電型電源１０は、メイン電源２から第一のスイッチ部５を介さず、かつ第二のスイッチ部８を介して電力を供給されて、充電される。充電型電源１０は、例えば、スーパーキャパシター、二次電池等で構成される。
第二の制御部１４は、充電型電源１０から電力の供給を受けて、第一のスイッチ部５及び第二のスイッチ部８のオン・オフを制御する。
【００１６】
メイン電源２の出力電圧Ｖ０は、第一のスイッチ部５の入力端子５ａと、固定回路６の入力端子６ａと、第二のスイッチ部８の入力端子８ａと、メイン電源電圧検出回路１９の電圧検出端子１９ａに印加される。
【００１７】
メイン電源電圧検出回路１９は、メイン電源２の出力電圧Ｖ０を検出し、出力電圧Ｖ０が所定の閾値以上か否かを示すメイン電源電圧検出信号Ｄ１９を出力する。検出信号Ｄ１９は、第二の制御部１４に入力される。
【００１８】
第一のスイッチ部５の出力端子５ｂは、負荷回路１２の電源入力端子１２ｐと、第一の制御部１３の電源入力端子１３ｐに接続されており、従って、第一のスイッチ部５の出力電圧Ｖ１が、負荷回路１２、及び第一の制御部１３に印加される。
【００１９】
第一のスイッチ部５の制御信号入力端子５ｄ、５ｅには、それぞれ固定回路６の出力信号（固定時間信号）Ｄ６と、第二の制御部１４の第一の制御信号Ｄ１４ａ（第一のスイッチ部５を制御するための信号）が供給される。
【００２０】
第一のスイッチ部５は、固定回路６の出力信号Ｄ６又は第二の制御部１４から出力される第一の制御信号Ｄ１４ａによって、オン状態（閉路乃至導通状態）になる。
第一の制御信号Ｄ１４ａは、第一のスイッチ部５をオン状態にするときには、第１の状態、例えばＨ状態となり、それ以外のときには、第２の状態、例えばＬ状態（低レベル状態）となる。制御信号Ｄ１４ａをＨ状態にすることを、「第一のスイッチ部５をオン状態にするために制御信号を出力する」と表現することもある。
【００２１】
第二のスイッチ部８の出力端子８ｂは、充電型電源１０の入力端子１０ａに接続されている。
充電型電源１０の出力端子１０ｂは充電型電源電圧検出回路７の電圧検出端子７ａに接続されている。充電型電源電圧検出回路７は、出力電圧Ｖ２を検出して、出力電圧Ｖ２が所定の閾値以上か否かを示す充電型電源電圧検出信号Ｄ７を出力する。検出信号Ｄ７は、第二の制御部１４に入力される。
充電型電源１０の出力端子１０ｂはまた第二の制御部１４の電源入力端子１４ｐに接続されており、充電型電源１０の出力電圧Ｖ２が第二の制御部１４に印加される。
【００２２】
第二のスイッチ部８の制御信号入力端子８ｄ、８ｅには、それぞれ固定回路６の出力信号Ｄ６と、第二の制御部１４の第二の制御信号Ｄ１４ｂ（第二のスイッチ部７を制御するための信号）が接続される。
【００２３】
第二のスイッチ部８は、固定回路６の出力信号Ｄ６又は第二の制御部１４から出力される第二の制御信号Ｄ１４ｂによって、オン状態になる。
第二の制御信号Ｄ１４ｂは、第二のスイッチ部８をオン状態にするときには、第１の状態、例えばＨ状態となり、それ以外のときには、第２の状態、例えばＬ状態となる。制御信号Ｄ１４ｂをＨ状態にすることを、「第二のスイッチ部８をオン状態にするために制御信号を出力する」と表現することもある。
【００２４】
固定回路６の出力信号Ｄ６は、第一及び第二のスイッチ部５、８をオン状態にするときには、第１の状態、例えばＨ状態となり、それ以外のときには、第２の状態、例えばＬ状態となる。出力信号Ｄ６をＨ状態にすることを、「第一及び第二のスイッチ部５、８をオン状態にするために出力信号を出力する」と表現することもある。
【００２５】
固定回路６は、メイン電源２の出力電圧Ｖ０の立ち上がり時に第一及び第二のスイッチ部５、８をオン状態にするための信号を出力する。即ち、固定回路６は、その入力端子６ａの電圧の立ち上がりから所定の時間、所定の状態、例えばＨ状態の信号を出力する。
【００２６】
第二の制御部１４は、充電型電源１０から給電が開始されると、動作を開始し、第一のスイッチ部５をオン状態にするための第一の制御信号Ｄ１４ａ、及び第二のスイッチ部８をオン状態にするための第二の制御信号Ｄ１４ｂを出力する。
第二の制御部１４はさらに、メイン電源電圧検出回路１９からの検出信号Ｄ１９に基づく、第一及び第二のスイッチ部５、８の制御、後述のオン／オフ情報ＰＤＳによる第一のスイッチ部５の制御、充電型電源電圧検出回路７からの検出信号Ｄ７に基づく第二のスイッチ部８の制御を行う。
【００２７】
第一の制御部１３は、第一のスイッチ部５から電圧Ｖ１が供給されると、動作を開始し、オン／オフ情報ＰＤＳを第二の制御部１４に送信するほか、負荷回路１２に対する制御を開始する。
【００２８】
第一の制御部１３と負荷回路１２とは、双方向にデータの送受信を行うことができるように接続されている。例えば、第一の制御部１３から負荷回路１２に制御データＤ１３ｃが送信され、負荷回路１２から、その状態を示すデータが第一の制御部１３に送信される。
例えば、負荷回路１２のそれぞれの外部接続端子に、信号伝達のための信号線が接続されているか否かを示す情報、負荷回路１２の手動操作による切替スイッチの状態を示す情報が、負荷回路１２から第一の制御部１３に送信される。
【００２９】
また、第二の制御部１４から第一の制御部１３に対し、負荷回路１２への給電の停止前の状態に復帰させるための制御信号Ｄ１３ｃが第二の制御部１４から第一の制御部１３に送信されると、第一の制御部１３では、その内部に保存している、負荷回路１２の給電停止前の状態を示すデータに基づいて、負荷回路１２を制御する。
【００３０】
第一の制御部１３から負荷回路１２に制御データＤ１３ｃが送信されると、これらの制御データＤ１３ｃに応じた設定データが負荷回路１２内のレジスタ１２ｍに保持される。例えば、映像の明るさや音量の制御のための制御データＤ１３ｃに応じて、負荷回路１２内のレジスタ１２ｍに明るさの設定値、音量の設定値が保持される。保持された設定データは、負荷回路１２の動作の制御に利用される。
【００３１】
レジスタ１２ｍに保持された設定データはまた、負荷回路１２がパワーダウンした際、負荷回路１２の動作状態を示す情報（動作状態情報）ＬＤＳ（の一部）として、負荷回路１２から第一の制御部１３に送信され、第一の制御部１３内の不揮発性メモリ１３ｍ（例えばＥＥＰＲＯＭで構成される）に記憶される。
【００３２】
不揮発性メモリ１３ｍにはさらに、オン／オフ情報ＰＤＳが動作状態情報ＬＤＳの一部として記憶される。オン／オフ情報ＰＤＳは、第一の制御部１３から第二の制御部１４に送信され、第二の制御部１４内にも保持される。即ち、第一の制御部１３は、動作を開始したときに、当該動作開始の前に負荷回路１２への給電が停止したときに（当該動作開始の直近の給電停止時に）負荷回路１２がパワーオン状態であったか否かを示すオン／オフ情報を第二の制御部へ送信する。
このように、オン／オフ情報ＰＤＳは、負荷回路１２への給電が停止した時に、負荷回路１２がパワーオン状態であったか否かを示す情報であり、従って、電源復帰時に、負荷回路をオン状態にすべきか否かを示す情報であるともいえる。
【００３３】
負荷回路１２への給電の停止は、停電の発生、ＡＣプラグが抜けたことによりメイン電源２が交流電圧入力１から切り離されること、或いは第一のスイッチ部５がオフとなることで起きる。
【００３４】
オン／オフ情報ＰＤＳは以下のように生成される。即ち、負荷回路１２が正常にパワーオフしたときには、パワーオフしたことを示す情報が、負荷回路１２から第一の制御部１３に送信され、第一の制御部１３内に記憶される。一方、正常にパワーオフすることなく、給電が停止した場合には、上記の「正常にパワーオフしたことを示す情報」が送信されず、第一の制御部１３内に記憶されていないので、第一の制御部１３では、給電が停止したときに、負荷回路１２がパワーオン状態であったと判断することができる。第一の制御部１３は、このような判断に基づき、負荷回路１２への給電の停止時に負荷回路１２がパワーオン状態であったことを示す情報、或いは負荷回路１２への給電の停止時に負荷回路１２がパワーオフ状態であったことを示す情報を生成し、内部の不揮発性メモリ１３ｍに記憶する。
【００３５】
固定回路６としては、例えば後述の実施の形態３の第一の固定回路３、或いは第二の固定回路４と同じ構成のものを用い得る。第一のスイッチ部５及び第二のスイッチ部８としては、例えば後述の実施の形態３の第一のスイッチ部５及び第二のスイッチ部８と同じ構成のものを用い得る。
【００３６】
メイン電源２の出力電圧Ｖ０の立ち上がりから所定の時間が経過して、固定回路６の出力Ｄ６がＬ状態となっても、第二の制御部１４の制御信号Ｄ１４ａがＨ状態になることで、第一のスイッチ部５がオン状態に保たれ、その結果メイン電源２の出力電圧Ｖ０が第一のスイッチ部５を介して第一の制御部１３及び負荷回路１２に供給され続ける。
【００３７】
図２（ａ）〜（ｈ）は、図１のメイン電源２からの電力供給が開始されたときの、固定回路６の出力、電圧検出回路７、１９の出力、及びスイッチ部５、８の動作を示す。
充電型電源１０がまだ充電されていない初期状態において、交流電圧入力１が供給されたとき、メイン電源２は出力電圧Ｖ０を出力する（図２（ａ））。
出力された出力電圧Ｖ０は第一のスイッチ部５の入力端子５ａと、固定回路６の入力端子６ａと、第二のスイッチ部８の入力端子８ａと、メイン電源電圧検出回路１９の検出端子１９ａに印加される。
メイン電源電圧検出回路１９は出力電圧Ｖ０が存在するとき（電圧Ｖ０が所定の閾値以上であるとき）、電圧Ｖ０が存在することを示すメイン電源電圧検出信号Ｄ１９を第二の制御部１４の電源電圧検出入力端子１４ｓに対して出力する（図２（ｃ））。
【００３８】
固定回路６は、メイン電源２の出力電圧Ｖ０が入力されると、一定時間出力信号Ｄ６を出力する（図２（ｂ））。
固定回路６の出力信号Ｄ６は第一のスイッチ部５の制御端子５ｄと、第二のスイッチ部８の制御端子８ｄに入力される。
【００３９】
第一のスイッチ部５は、固定回路６からの出力信号Ｄ６及び第二の制御部１４からの第一のスイッチ部制御信号Ｄ１４ａのいずれか一方又は双方が、Ｈ状態のとき、即ち、第一のスイッチ部５をオン状態するための信号を出力しているときには、オン状態になる。
同様に、第二のスイッチ部８は固定回路６からの出力信号Ｄ６及び第二の制御部１４からの第二のスイッチ部制御信号Ｄ１４ｂのいずれか一方又は双方が、Ｈ状態のとき、即ち、第二のスイッチ部８をオン状態にするための信号を出力しているときには、オン状態になる。
上記のように動作することから、固定回路６にメイン電源２の出力電圧Ｖ０が入力されると一定時間（電圧Ｖ０の固定回路６への印加が開始してから一定時間）、出力信号Ｄ６を出力し、この信号Ｄ６が出力されている間、第一のスイッチ部５と第二のスイッチ部８はオン状態になる（図２（ｄ）、（ｅ））。
【００４０】
第一のスイッチ部５がオン状態になると、メイン電源２の出力電圧Ｖ０が、第一のスイッチ部５を介して、電圧Ｖ１として、負荷回路１２と第一の制御部１３に供給される（図２（ｆ））。
第一の制御部１３は、負荷回路１２の動作状態情報ＬＤＳを第二の制御部１４に送信する。
【００４１】
上記のように、第二のスイッチ部８がオン状態になると、メイン電源２の出力電圧Ｖ０が充電型電源１０に供給され、充電型電源１０の出力電圧Ｖ２は第二の制御部１４に供給されて（図２（ｇ））、第二の制御部１４は制御を開始する。
充電型電源１０の出力電圧Ｖ２はまた、充電型電源電圧検出回路７に入力され、充電型電源電圧検出回路７は、充電型電源１０の出力電圧Ｖ２を検出して、検出結果を充電型電源電圧検出信号Ｄ７として、第二の制御部１４の充電型電源電圧検出入力端子１４ｑに出力する（図２（ｈ））。
【００４２】
図３は、電圧Ｖ２の供給開始に応じて行われる第二の制御部１４の動作の手順を示す。
第二の制御部１４は、充電型電源から電圧Ｖ２が入力されると（電圧Ｖ２の入力が開始されると）、固定回路６から固定時間信号Ｄ６が出力されている一定時間の間に、制御信号Ｄ１４ａ及びＤ１４ｂの出力を開始する(ＳＴ１)。
先にも述べたように、第一のスイッチ部５は、固定時間信号Ｄ６及び制御信号Ｄ１４ａの少なくとも一方が入力されているときに、オン状態になるものであり、固定時間信号Ｄ６がＬ状態になった後も、制御信号Ｄ１４ａがＨ状態である限り、オン状態を維持する。同様に、第二のスイッチ部８は、固定時間信号Ｄ６及び制御信号Ｄ１４ｂの少なくとも一方が入力されているときに、オン状態になるものであり、固定時間信号Ｄ６がＬ状態になった後も、制御信号Ｄ１４ｂがＨ状態である限り、オン状態を維持する。
【００４３】
電源供給装置を上記のように構成することにより、充電型電源１０がまだ充電されていない初期状態からでも安定して電源供給装置が起動することが可能であると言う効果が得られる。さらに固定回路６の出力は一定時間だけなので、固定回路の消費電力も抑制されている。
【００４４】
制御信号Ｄ１４ａによって、第一のスイッチ部５がオン状態を継続すると第一の制御部１３と負荷回路１２に電源電圧Ｖ１が供給される。第一の制御部１３は、負荷回路１２の制御を開始するとともに、動作状態情報ＬＤＳのうちのオン／オフ情報ＰＤＳを第二の制御部１４に伝送する（ＳＴ１ａ）。
【００４５】
制御信号Ｄ１４ｂによって、第二のスイッチ部８がオン状態を継続すると充電型電源１０に電圧Ｖ２が供給されて、充電状態が継続し、充電型電源１０は電圧Ｖ２の出力を続ける。
【００４６】
第二の制御部１４には電源電圧検出信号Ｄ１９、充電型電源電圧検出信号Ｄ７、及びオン／オフ情報ＰＤＳが入力され、第二の制御部１４は、充電型電源１０から電源電圧Ｖ２が供給されていることを条件として、これらに基づく制御を実施する。
【００４７】
電源電圧検出信号Ｄ１９が、「電源電圧無し」を示すものとなったとき（ＳＴ２でＹＥＳ）、第二の制御部１４は、停電やＡＣプラグが抜けるなどの異常状態と判断して、オン／オフ情報ＰＤＳが装置オン状態を要求していても、また充電型電源電圧検出信号Ｄ７が充電不足状態を検出していても、第一のスイッチ部５と、第二のスイッチ部８をともにオフ状態にする（ＳＴ３）。ステップＳＴ３の後、第二の制御部１４は動作可能であれば、ステップＳＴ２に戻るが、電源喪失により継続動作が不能となる場合もある（ＳＴ３ａ）。
このような動作をすることで、必須ではない回路動作を抑制し、放電路を増やさないようにし、結果的に消費電力を最小限に抑え、状況に応じて最適な低消費電力状態に保つことができる。
【００４８】
第二の制御部１４は電源電圧検出信号Ｄ１９が、「電源電圧有り」を示し（ＳＴ２でＮＯ）、充電型電源電圧検出信号Ｄ７が充電不足（電圧Ｄ２が所定の値未満であること）を示す場合（ＳＴ４でＹＥＳ）、オン／オフ情報ＰＤＳの内容如何に拘わらず、制御信号Ｄ１４ａをＬ状態、制御信号Ｄ１４ｂをＨ状態とする（ＳＴ５）。これによって第二のスイッチ部８だけがオン状態にされ、充電型電源１０の充電が行われる。こうすることで充電不足の解消を優先して行うことができる。このように充電型電源１０の充電を優先して行い得る構成であるため、必須でない消費電力を増やさずに、状況に応じて最適な低消費電力状態に保つことができる。
【００４９】
充電電源電圧検出信号Ｄ７によって、電圧Ｖ２が閾値以上となったことが示される場合（ＳＴ４でＮＯ）、オン／オフ情報ＰＤＳに応じて負荷回路１２及び第一の制御部１３を動作させ続けるかを判断して（ＳＴ６）、第一のスイッチ部５をオン状態にするか、オフ状態にするか制御する。
即ち、オン／オフ情報ＰＤＳが、負荷回路１２をオン状態とすべきことを示す場合（オン／オフ情報ＰＤＳがＨ状態である場合）には、制御信号Ｄ１４ａ、Ｄ１４ｂをともにＨ状態とする（ＳＴ７）。
一方、オン／オフ情報ＰＤＳが、負荷回路１２をオフ状態とすべきことを示す場合（オン／オフ情報ＰＤＳがＬ状態である場合）には、制御信号Ｄ１４ａをＬ状態とし、制御信号Ｄ１４ｂにする（ＳＴ５）。
ステップＳＴ５、又はステップＳＴ７の後、ステップＳＴ２に戻り、同様の処理を繰り返す。
【００５０】
このように第一のスイッチ部５と第二のスイッチ部８とを設け、独立に制御可能な構成としているため、不要な消費電力を増やさずに、状況に応じて最適な低消費電力状態に保つことができる。
【００５１】
また、第二の制御部１４は第一の制御部１３と比較して、処理速度を要求されないため、低いクロック周波数にしておくことができる。しかも第二の制御部１４は状況に応じてクロックを切り替えるなどの機能が必要なく、低いクロック周波数に固定して動作させることで不要な消費電力を増やさずに、低消費電力状態で使うことができる。
【００５２】
なお、図１の電源供給装置の単一の固定回路６の代わりに、第一及び第二のスイッチ部５、８に対して別個の固定回路を設けることとしても良い。その場合、それぞれの固定時間信号を互いに独立に設定可能となる。
【００５３】
図１ではメイン電源電圧検出回路１９からの電源電圧検出信号Ｄ１９、及び充電型電源電圧検出回路７からの充電型電源電圧検出信号Ｄ７を、第二の制御部１４に入力するように構成しているが、メイン電源電圧検出回路１９の機能、及び充電型電源電圧検出回路７の機能を第二の制御部１４内に持たせることでメイン電源電圧検出回路１９及び充電型電源電圧検出回路７の両方あるいはいずれかを省略した構成であっても良い。
第二の制御部１４にメイン電源電圧検出回路１９及び充電型電源電圧検出回路７の機能を持たせる場合には、メイン電源２の出力電圧Ｖ０及び充電型電源１０の出力電圧Ｖ２を制御部１４に入力する必要がある。
【００５４】
例えば図１では充電型電源電圧検出信号Ｄ７を第二の制御部１４の端子１４ｑに入力しているが、充電型電源電圧検出回路７を省略する場合、端子１４ｐに電源電圧Ｖ２を入力し、第二の制御部１４の中で充電型電源電圧Ｖ２の検出、或いは判定（電圧Ｖ２が所定値以上であるか否かの判定）を行っても良い。
【００５５】
また、図１では負荷回路が一つのみ示されているが、複数個の負荷回路に対して給電を行う場合にも本発明を適用することができる。この場合負荷回路ごとに第一のスイッチ部（図１の第一のスイッチ部５に相当するもの）を設けても良い。この場合、負荷回路毎に第一の制御部（図１の第一の制御部１３と同様のもの）を設けても良い。負荷回路用の制御部が複数設けられているときは、それぞれの負荷回路用の制御部（第一の制御部）からそれぞれの負荷回路の動作状態情報ＬＤＳを第二の制御部１４へ入力して、第二の制御部１４内で制御処理しても良いし、複数の負荷回路のそれぞれの動作状態情報ＬＤＳを、一つの負荷回路用の制御部（代表となる第一の制御部）に入力し、その代表となる第一の制御部から第二の制御部１４に対してすべての負荷回路の動作状態情報ＬＤＳを送信する構成としても良い。
また図１では第一の制御部１３と第二の制御部１４は別のブロックで記載してあるが、一つのパッケージ内に第一の制御部１３と第二の制御部１４が含まれている構成であっても良い。さらには一つのパッケージ内の一つのチップ上に第一の制御部１３と第二の制御部１４の機能が存在する構成であっても良い。
【００５６】
実施の形態２．
図４は、本発明の実施の形態２に係る電源供給装置と負荷回路とを含む電子機器を示す。図４において、図１と同じ符号は同様の構成要素を示す。図４の電源供給装置は、図１の電源供給装置と概して同じであるが、割り込み信号生成部１５が付加されている点で異なる。
実施の形態２の電源供給装置の動作は概して実施の形態１電源供給装置と同じである。以下では、実施の形態１に対する差異、即ち割り込み信号生成部１５の付加に伴って変更又は追加される処理内容を中心として説明する。
【００５７】
割り込み信号生成部１５の電源入力端子１５ｐは充電型電源１０の出力端子１０ｂに接続されており、割り込み信号生成部１５は充電型電源１０から電圧Ｖ２の供給を受ける。
【００５８】
割り込み信号生成部１５は、割り込み信号Ｄ１５を、第二の制御部１４の割り込み情報入力端子１４ｉに供給する。
【００５９】
割り込み信号生成部１５は、例えば操作入力部及び／又はリモコン信号受信部により構成される。割り込み信号生成部１５が操作入力部で構成される場合、割り込み信号Ｄ１５は、操作入力部を用いたユーザによる操作に応じて発生される。割り込み信号生成部１５がリモコン信号受信部で構成される場合、割り込み信号Ｄ１５は、例えば図示しないリモコンを用いたユーザによる操作に応じて発生される。割り込み信号Ｄ１５としては、例えば、第一の制御部１３及び負荷回路１２へのパワーオン命令信号、パワーオフ命令信号などがある。
また、負荷回路１２が映像表示のためのものである場合、表示される映像の明るさの制御、出力される音声の音量の制御のための命令信号が割り込み信号Ｄ１５となることがある。
【００６０】
第二の制御部１４は、割り込み信号生成部１５からの入力に応じた制御信号Ｄ１４ｃを、第一の制御部１３に出力する。
【００６１】
第二の制御部１４はさらに、割り込み信号生成部１５からの入力に応じて負荷回路１２をパワーンオン、パワーオフする場合に、これに伴い第一のスイッチ部５を制御する。
【００６２】
実施の形態１で述べたのと同様、第一の制御部１３は、第一のスイッチ部５から電圧Ｖ１が供給されると、動作を開始し、オン／オフ情報ＰＤＳを第二の制御部１４に送信するほか、負荷回路１２に対する制御を開始するが、この負荷回路１２に対する制御の中には、第二の制御部１４からの制御信号Ｄ１４ｃに応じて行なう制御が含まれる。
【００６３】
実施の形態１で述べたのと同様、第一の制御部１３と負荷回路１２とは、双方向にデータの送受信を行うことができるように接続されており、第二の制御部１４から、パワーオン又はパワーオフのための制御信号Ｄ１４ｃが供給されると、第一の制御部１３は、負荷回路１２に対してパワーンオン又はパワーオフのための制御データＤ１３ｃを送信する。
【００６４】
また、負荷回路１２が映像表示及び音声出力の機能を有するものである場合に、第二の制御部１４から、表示される映像の明るさの制御、出力される音声の音量の制御のための制御信号Ｄ１４ｃが供給されると、これに応じて明るさや音量の制御のための制御データＤ１３ｃが、第一の制御部１３から負荷回路１２に送信される。
【００６５】
先にも述べたように、第二のスイッチ部８がオン状態になると、充電型電源１０に電源電圧が供給され、充電型電源１０の出力電圧Ｖ２は割り込み信号生成部１５に供給される。割り込み信号生成部１５は第二の制御部１４に対して、割り込み信号Ｄ１５を出力する。
【００６６】
電圧Ｖ０、Ｖ２の供給によって第二の制御部１４が動作を開始した後も、第二の制御部１４がオン／オフ情報ＰＤＳを受信するまでは、第二の制御部１４は割り込み信号Ｄ１５の入力による影響を受け付けない。
このように、第二の制御部１４は、オン／オフ情報ＰＤＳを受信して負荷の状態を確認するまで、割り込み信号Ｄ１５を受け付けず、割り込み信号Ｄ１５による影響を受けないようにすることで、負荷回路１２及び第一の制御部１３の状態に対して適切でない制御が行われてしまうのを防ぐことができる。
【００６７】
第二の制御部１４が動作を開始し、オン／オフ情報ＰＤＳを受信した後は、第二の制御部１４は割り込み信号生成部１５からの割り込み信号出力Ｄ１５を受け付ける。
割り込み信号Ｄ１５が、第一の制御部１３及び負荷回路１２へのパワーオン命令信号、パワーオフ命令信号などである場合には、第二の制御部１４は割り込み信号Ｄ１５に応じて制御信号Ｄ１４ａを出力、あるいは制御信号Ｄ１４ａの出力停止を実施する。
割り込み信号Ｄ１５が、映像の明るさの制御、出力される音声の音量の制御のための命令信号である場合には、第二の制御部１４は例えば図４の制御信号Ｄ１４ｃを出力して、第一の制御部１３を制御することで負荷回路１２を制御する。
【００６８】
図５は、図４の第二の制御部１４の処理手順の具体例を示す。図５では、処理の優先順位を明らかにすることを主な目的とし、それ以外の詳細を省略している。
充電型電源１０から電源電圧Ｖ２の供給が開始されると（ＳＴ８）、第二の制御部１４は動作を開始する（ＳＴ９）。
次に第二の制御部１４は第一の制御部１３からのオン／オフ情報ＰＤＳの受信を待つ状態に移行する（ＳＴ１３）。
オン／オフ情報ＰＤＳを待つ状態において、制御信号Ｄ１４ａ、Ｄ１４ｂをＨ状態に維持することでスイッチ部５、８をオン状態に維持する（ＳＴ１４）。
【００６９】
ここで第二の制御部１４は、処理メインループの実行を開始し（ＳＴ１５）、割り込み禁止処理（ＳＴ３１）を行った後、メイン電源２の出力電圧Ｖ０の有無を確認する（ＳＴ１６）。これはメイン電源電圧検出回路１９の出力Ｄ１９（第二の制御部１４の端子１４ｓへの信号Ｄ１９）を調べることで行われる。そして、その確認結果に応じてスイッチ部５、８を制御する（ＳＴ１７）。このように、メイン電源２の出力電圧Ｖ０の有無に基づくスイッチ部５、８の制御のための処理が最も優先して（他の制御のための処理よりも先に）行われる。これにより、停電などで交流電圧入力１が遮断した場合（Ｌ状態となった場合）でも、迅速に安定した状態を持続できる。
【００７０】
第二の制御部１４は、第一の制御部１３からのオン／オフ情報ＰＤＳが供給されると、これを入力し（ＳＴ１８）、入力したオン／オフ情報ＰＤＳに応じて、第一のスイッチ部５を制御する（ＳＴ１９）。
第二の制御部１４は、オン／オフ情報ＰＤＳに基づく、第一のスイッチ部５の制御に当たり、第一のスイッチ部５を、オン／オフ情報ＰＤＳで示される状態に対応した状態になるように制御を行う。
即ち、入力されたオン／オフ情報ＰＤＳが、前回メイン電源２からの給電が停止したときに、負荷回路１２がパワーオン状態であったことを示すものであるときは、第二の制御部１４は、第一のスイッチ部５のオン状態が持続するように制御し、第一の制御部１３及び負荷回路１２がパワーオン状態に復帰できるように電力供給を続ける。
一方、入力されたオン／オフ情報ＰＤＳが、前回メイン電源２からの給電が停止したときに、負荷回路１２がパワーオフ状態であったことを示すものであるときは、第二の制御部１４は、第一のスイッチ部５がオフ状態になるように制御する。この結果、負荷回路１２及び第一の制御部１３に電力が供給されない状態となり、消費電力（待機時消費電力）が抑制される。
【００７１】
最後に割り込み処理許可、即ち割り込み禁止の解除（ＳＴ３２）を行い、その後、第二の制御部１４は、充電型電源電圧検出信号Ｄ７を参照することで充電型電源１０の出力電圧Ｖ２のレベルを検出し（ＳＴ２０）、検出結果に応じて第二のスイッチ部８を制御する（ＳＴ２１）。第二のスイッチ部８の制御により、メイン電源２の負荷が軽減される。
【００７２】
このように、オン／オフ情報ＰＤＳの入力、及び入力したオン／オフ情報ＰＤＳに基づく第一のスイッチ部５の制御のための処理（ＳＴ１８、ＳＴ１９）は、メイン電源２の出力電圧Ｖ０の有無の確認、及びこの確認結果に基づくスイッチ部５、８の制御のための処理（ＳＴ１６、ＳＴ１７）よりも低い優先度で実施される一方、充電型電源１０の出力電圧Ｖ２のレベルのチェック、及びチェック結果に基づく第二のスイッチ部８の制御のための処理（ＳＴ２０、ＳＴ２１）よりも優先して行われる。即ちこれらの３つの制御のための処理のうち、メイン電源２の出力電圧Ｖ０の有無の確認及びこの確認結果に基づくスイッチ部５、８の制御のための処理（ＳＴ１６、ＳＴ１７）が最も優先度が高く、オン／オフ情報ＰＤＳの入力、及び入力したオン／オフ情報ＰＤＳに基づく第一のスイッチ部５の制御のための処理（ＳＴ１８、ＳＴ１９）が次に優先度が高く、充電型電源１０の出力電圧Ｖ２のレベルのチェック、及びチェック結果に基づく第二のスイッチ部８の制御のための処理（ＳＴ２０、ＳＴ２１）が最も優先度が低い。
【００７３】
メイン電源２から電力供給が開始された直後には、第二の制御部１４は、充電型電源１０の出力電圧Ｖ２のレベルに関係なく制御信号Ｄ１４ｂをＨ状態に維持して、第二のスイッチ部８をオン状態に維持するので、充電型電源１０の出力電圧Ｖ２のレベルのチェックのための処理の優先度を下げる（ステップＳＴ１６、ＳＴ１７、ＳＴ１８、ＳＴ１９などよりもステップＳＴ２０、ＳＴ２１を後にする）ことができる。
【００７４】
なお、第二の制御部１４による処理の優先順位に応じてループ内の処理頻度を異ならせることとしても良い。例えば、メイン電源２の出力電圧Ｖ０の有無をチェックする処理の頻度を処理メインループ内に複数配置しても良く、あるいはタイマーを設定してメイン電源２の出力電圧Ｖ０の有無のチェックのための処理を割り込みで実施しても良い。
【００７５】
また、メイン電源２の出力電圧Ｖ０の有無の確認及びこの確認の結果に応じた第一のスイッチ部５及び第二のスイッチ部８に対する制御（ＳＴ１６、ＳＴ１７）、オン／オフ情報ＰＤＳの入力、及び入力したオン／オフ情報ＰＤＳの内容に応じた第一のスイッチ部５の制御（ＳＴ１８、ＳＴ１９）の間は、パワーオン、パワーオフ命令信号のような割り込み信号処理が禁止される。このようにすることで、装置全体を安定に保つとともに消費電力を抑制することができるようになる。
【００７６】
上記のようにステップＳＴ１６で、電源電圧検出信号Ｄ１９が、「電源電圧無し」を示すものとなったとき、第二の制御部１４は、停電やＡＣプラグが抜けるなどの異常状態と判断して、オン／オフ情報ＰＤＳが装置オン状態を要求していても、また充電型電源電圧検出信号Ｄ７が充電不足状態を検出していても、さらに、割り込み信号Ｄ１５が入力されたとしても、第一のスイッチ部５と、第二のスイッチ部８をともにオフ状態であるように維持する。このような動作をすることで、不要な回路動作を抑制し、放電路を増やさないようにし、結果的に消費電力を最小限に抑え、状況に応じて最適な低消費電力状態に保つことができる。
【００７７】
一方、第二の制御部１４は電源電圧検出信号Ｄ１９が「電源電圧有り」を示し、充電型電源電圧検出信号Ｄ７が充電不足（電圧Ｖ２が所定値未満であること）を示す場合、オン／オフ情報ＰＤＳ、或いは割り込み信号Ｄ１５の内容如何に拘わらず、制御信号Ｄ１４ａをＬ状態、制御信号Ｄ１４ｂをＨ状態とすることで第二のスイッチ部８だけをオン状態にして充電型電源１０の充電を行って充電不足を解消することができる。このように充電型電源１０の充電を優先して行い得る構成を採用しているため、不要な消費電力を増やさずに、状況に応じて最適な低消費電力状態に保つことができる。
【００７８】
なお、図４では、第二の制御部１４から第一の制御部１３に制御信号Ｄ１４ｃを送信しているが、第二の制御部１４から負荷回路１２に制御信号Ｄ１４ｃを出力し、第二の制御部１４が負荷回路１２を直接制御する構成としても良い。
また、割り込み信号Ｄ１５が第一の制御部１３及び負荷回路１２へのパワーオン命令信号、パワーオフ命令信号である場合は第２の制御部１４が直接制御信号Ｄ１４ａを制御すれば良く、第１の制御部１３への制御信号Ｄ１４ｃを省略することができる。
さらに、実施の形態１について上記した変形は、実施の形態２にも適用可能である。
【００７９】
実施の形態３．
図６は、本発明の実施の形態３に係る電源供給装置と負荷回路とを含む電子機器を示す。図６において、負荷回路１２以外の部分により、本実施の形態の電源供給装置が構成されている。即ち、この電源供給装置は、第一及び第二の固定回路３、４と、第一及び第二のスイッチ部５、８と、第一及び第二のリセット回路９、１１と、充電型電源１０と、第一及び第二の制御部１３、１４と、割り込み信号生成部１５とを有する。
メイン電源２には、商用電源からの交流電圧入力（交流電源入力）１が供給される。メイン電源２は、内部に変圧器、及び整流器を含み、直流の電圧Ｖ０を出力する。
【００８０】
負荷回路１２には、メイン電源２から第一のスイッチ部５を介して電力が供給される。第一の制御部１３は、負荷回路１２と同様に、メイン電源２から第一のスイッチ部５を介して電力の供給を受け、負荷回路１２の動作を制御する。
充電型電源１０は、メイン電源２から第一のスイッチ部５を介さず、かつ第二のスイッチ部８を介して電力を供給されて充電される。充電型電源１０は、例えば、スーパーキャパシター、又は二次電池で構成される。
第二の制御部１４は、充電型電源１０から電力の供給を受けて、第一のスイッチ部５及び第二のスイッチ部８のオン・オフを制御する。
第一の制御部１３及び第二の制御部１４は何れもマイコンで構成されており、後述のリセットパルスを受けて初期化され、動作を開始する。
【００８１】
メイン電源２の出力電圧Ｖ０は、第一のスイッチ部５の入力端子５ａと、第一の固定回路３の入力端子３ａと、第二の固定回路４の入力端子４ａと、第二のスイッチ部８の入力端子８ａと、第二のリセット回路１１の入力端子１１ａと、第二の制御部１４の第一の電圧検出端子１４ｓに印加される。
【００８２】
第一のスイッチ部５の出力端子５ｂは、負荷回路１２の電源入力端子１２ｐと、第一の制御部１３の電源入力端子１３ｐと、第一のリセット回路９の入力端子９ａに接続されており、従って、第一のスイッチ部５の出力電圧Ｖ１が、負荷回路１２、第一の制御部１３、及び第一のリセット回路９に印加される。第一のスイッチ部５の出力電圧Ｖ１を、負荷回路１２、第一の制御部１３、及び第一のリセット回路９の電源電圧とも言う。
【００８３】
第一のリセット回路９の入力端子９ａは、メイン電源２に第一のスイッチ部５を介して接続され、第一のリセット回路９の出力端子９ｂは、第一の制御部１３のリセット信号入力端子１３ｒに接続されている。第一のリセット回路９は、第一のスイッチ部５の出力電圧Ｖ１、即ちその入力端子９ａの電圧の立ち上がり時にリセットパルスを発生して第一の制御部１３に供給する。このリセットパルスは、第一の制御部１３の初期化のために用いられる。
【００８４】
第一のスイッチ部５の制御信号入力端子５ｄ、５ｅには、それぞれ第一の固定回路３の出力信号（固定時間信号）Ｄ３と、第二の制御部１４の第一の制御信号Ｄ１４ａ（第一のスイッチ部５を制御するための信号）が供給される。
【００８５】
第一のスイッチ部５は、第一の固定回路３の出力信号Ｄ３又は第二の制御部１４から出力される第一の制御信号Ｄ１４ａによって、オン状態（閉路乃至導通状態）になる。
第一の制御信号Ｄ１４ａは、第一のスイッチ部５をオン状態にするときには、第１の状態、例えばＨ状態となり、それ以外のときには、第２の状態、例えばＬ状態（低レベル状態）となる。制御信号Ｄ１４ａをＨ状態にすることを、「第一のスイッチ部５をオン状態にするために制御信号を出力する」と表現することもある。
【００８６】
第一の固定回路３の出力信号Ｄ３は、第一のスイッチ部５をオン状態にするときには、第１の状態、例えばＨ状態となり、それ以外のときには、第２の状態、例えばＬ状態となる。出力信号Ｄ３をＨ状態にすることを、「第一のスイッチ部５をオン状態にするために出力信号を出力する」と表現することもある。
【００８７】
第一の固定回路３は、メイン電源２に第一のスイッチ部５及び第二のスイッチ部８のいずれをも介することなく接続され、メイン電源２の出力電圧Ｖ０の立ち上がり時に第一のスイッチ部５をオン状態にするための信号を出力する。即ち、第一の固定回路３は、その入力端子３ａの電圧の立ち上がりから所定の時間、所定の状態、例えばＨ状態（高レベル状態）の信号を出力する。
【００８８】
第二のリセット回路１１の入力端子１１ａは、メイン電源２に第一のスイッチ部５及び第二のスイッチ部８のいずれをも介することなく接続され、第二のリセット回路１１の出力端子１１ｂは第二の制御部１４のリセット信号入力端子１４ｒに接続されている。第二のリセット回路１１は、メイン電源２の出力電圧Ｖ０、即ちその入力端子１１ａの電圧の立ち上がり時にリセットパルスを発生して第二の制御部１４に供給する。このリセットパルスは、第二の制御部１４の初期化のために用いられる。
【００８９】
第二のスイッチ部８の出力端子８ｂは、充電型電源１０の入力端子１０ａに接続され、充電型電源１０の出力端子１０ｂは第二の制御部１４の電源入力端子１４ｐ及び第二の電圧検出端子１４ｑ、並びに割り込み信号生成部１５の電源入力端子１５ｐに接続されている。このように、充電型電源１０の出力電圧Ｖ２が第二の制御部１４及び割り込み信号生成部１５に印加される。充電型電源１０の出力電圧Ｖ２を、第二の制御部１４及び割り込み信号生成部１５の電源電圧とも言う。なお、第二の制御部１４の電源入力端子１４ｐと電圧検出端子１４ｑは、兼用されていても良く、その場合には、第二の制御部１４の中で分岐される。
【００９０】
第二のスイッチ部８の制御信号入力端子８ｄ、８ｅには、それぞれ第二の固定回路４の出力信号（固定時間信号）Ｄ４と、第二の制御部１４の第二の制御信号Ｄ１４ｂ（第二のスイッチ部７を制御するための信号）が接続される。
【００９１】
第二のスイッチ部８は、第二の固定回路４の出力信号Ｄ４又は第二の制御部１４から出力される第二の制御信号Ｄ１４ｂによって、オン状態になる。
第二の制御信号Ｄ１４ｂは、第二のスイッチ部８をオン状態にするときには、第１の状態、例えばＨ状態となり、それ以外のときには、第２の状態、例えばＬ状態となる。制御信号Ｄ１４ｂをＨ状態にすることを、「第二のスイッチ部８をオン状態にするために制御信号を出力する」と表現することもある。
【００９２】
第二の固定回路４の出力信号Ｄ４は、第二のスイッチ部８をオン状態にするときには、第１の状態、例えばＨ状態となり、それ以外のときには、第２の状態、例えばＬ状態となる。出力信号Ｄ４をＨ状態にすることを、「第二のスイッチ部８をオン状態にするために出力信号を出力する」と表現することもある。
【００９３】
第二の固定回路４は、メイン電源２に第一のスイッチ部５及び第二のスイッチ部８のいずれをも介することなく接続され、メイン電源２の出力電圧Ｖ０の立ち上がり時に第二のスイッチ部８をオン状態にするための信号を出力する。即ち、第二の固定回路４は、その入力端子４ａの電圧の立ち上がりから所定の時間、所定の状態、例えばＨ状態の信号を出力する。
【００９４】
第二の制御部１４の割り込み情報入力端子１４ｉには割り込み信号生成部１５からの出力Ｄ１５が入力される。
割り込み信号生成部１５は、例えば操作入力部及び／又はリモコン信号受信部により構成される。割り込み信号生成部１５が操作入力部で構成される場合、割り込み信号Ｄ１５は、操作入力部を用いたユーザによる操作に応じて発生される。割り込み信号生成部１５がリモコン信号受信部で構成される場合、割り込み信号Ｄ１５は、例えば図示しないリモコンを用いたユーザによる操作に応じて発生される。割り込み信号Ｄ１５としては、例えば、第一の制御部１３及び負荷回路１２へのパワーオン命令信号、パワーオフ命令信号などがある。また、負荷回路１２が映像表示のためのものである場合、表示される映像の明るさの制御、出力される音声の音量の制御のための命令信号が割り込み信号Ｄ１５となることがある。
【００９５】
第二の制御部１４は、割り込み信号生成部１５からの入力に応じた制御信号Ｄ１４ｃを、第一の制御部１３に出力する。
【００９６】
第二の制御部１４は、第二のリセット回路１１が出力するリセットパルスにより初期化されて動作を開始し、初期化の完了後、第一のスイッチ部５をオン状態にするための第一の制御信号Ｄ１４ａ、及び第二のスイッチ部８をオン状態にするための第二の制御信号Ｄ１４ｂを出力する。
第二の制御部１４はさらに、メイン電源２の出力電圧Ｖ０に基づいて第一及び第二のスイッチ部５、８の制御、オン／オフ情報ＰＤＳによる第一のスイッチ部５の制御、充電型電源１０の出力電圧Ｖ２に基づく第二のスイッチ部８の制御を行う。第二の制御部１４はさらに、割り込み信号生成部１５からの入力に応じて負荷回路１２をパワーオン、パワーオフする場合に、これに伴い第一のスイッチ部５を制御する。
第二の制御部１４によるスイッチ部５、８の制御は制御信号Ｄ１４ａ、Ｄ１４ｂをＨ状態、又はＬ状態にすることにより行われるが、スイッチ部５、８は、上記のように固定回路３、４の出力信号Ｄ３、Ｄ４によってもオン状態にされるので、第二の制御部１４によるスイッチ部５、８をオフにするための制御を行っても（制御信号Ｄ１４ａ、Ｄ１４ｂをＬ状態にしても）、スイッチ部５、８がオン状態を保つことがある。
【００９７】
第一の制御部１３は、第一のリセット回路９が出力するリセットパルスにより初期化されて動作を開始し、初期化の完了後、後述のオン／オフ情報ＰＤＳを第二の制御部１４に送信するほか、負荷回路１２に対する制御を開始する。負荷回路１２に対する制御の中には、第二の制御部１４からの制御信号Ｄ１４ｃに応じて行なう制御が含まれる。
【００９８】
第一の制御部１３と負荷回路１２とは、双方向にデータの送受信を行うことができるように接続されている。例えば、第一の制御部１３から負荷回路１２に制御データＤ１３ｃが送信され、負荷回路１２から、その状態を示すデータが第一の制御部１３に送信される。
例えば、負荷回路１２のそれぞれの外部接続端子に、信号伝達のための信号線が接続されているか否かを示す情報、負荷回路１２の手動操作による切替スイッチの状態を示す情報が、負荷回路１２から第一の制御部１３に送信される。
一方、第二の制御部１４から、パワーオン又はパワーオフのための制御信号Ｄ１４ｃが供給されると、第一の制御部１３は、負荷回路１２に対してパワーオン又はパワーオフのための制御データＤ１３ｃを送信する。
【００９９】
また、負荷回路１２が映像表示及び音声出力の機能を有するものである場合に、第二の制御部１４から、表示される映像の明るさの制御、出力される音声の音量の制御のための制御信号Ｄ１４ｃが供給されると、これに応じて明るさや音量の制御のための制御データＤ１３ｃが、第一の制御部１３から負荷回路１２に送信される。
さらに、第二の制御部１４から第一の制御部１３に対し、負荷回路１２への給電の停止前の状態に復帰させるための制御信号Ｄ１３ｃが第二の制御部１４から第一の制御部１３に送信されると、第一の制御部１３では、その内部に保存している、負荷回路１２の給電停止前の状態を示すデータに基づいて、負荷回路１２を制御する。
【０１００】
第一の制御部１３から負荷回路１２に制御データＤ１３ｃが送信されると、これらの制御データＤ１３ｃに応じた設定データが負荷回路１２内のレジスタ１２ｍに保持される。例えば、映像の明るさや音量の制御のための制御データＤ１３ｃに応じて、負荷回路１２内のレジスタ１２ｍに明るさの設定値、音量の設定値が保持される。保持された設定データは、負荷回路１２の動作の制御に利用される。
【０１０１】
レジスタ１２ｍに保持された設定データはまた、負荷回路１２がパワーダウンした際、動作状態情報（負荷回路１２の動作状態を示す情報）ＬＤＳ（の一部）として、負荷回路１２から第一の制御部１３に送信され、第一の制御部１３内の不揮発性メモリ１３ｍ（例えばＥＥＰＲＯＭで構成される）に記憶される。
【０１０２】
不揮発性メモリ１３ｍにはさらに、負荷回路１２への給電が停止した時に、負荷回路１２がパワーオン状態であったか否かを示す情報（オン／オフ情報）ＰＤＳが動作状態情報ＬＤＳの一部として記憶される。オン／オフ情報ＰＤＳは、第一の制御部１３から第二の制御部１４に送信され、第二の制御部１４内にも保持される。即ち、第一の制御部１３は、その初期化が完了したときに、当該初期化に先立って負荷回路１２への給電が停止したときに（当該初期化の直近の給電停止時に）負荷回路１２がパワーオン状態であったか否かを示すオン／オフ情報を第二の制御部へ送信する。
【０１０３】
負荷回路１２への給電の停止は、停電の発生、ＡＣプラグが抜けたことによりメイン電源２が交流電圧入力１から切り離されること、或いは第一のスイッチ部５がオフとなることで起きる。
【０１０４】
オン／オフ情報ＰＤＳは以下のように生成される。即ち、負荷回路１２が正常にパワーオフしたときには、パワーオフしたことを示す情報が、負荷回路１２から第一の制御部１３に送信され、第一の制御部１３内に記憶される。一方、正常にパワーオフすることなく、給電が停止した場合には、上記の「正常にパワーオフしたことを示す情報」が送信されず、第一の制御部１３内に記憶されていないので、第一の制御部１３では、給電が停止したときに、負荷回路１２がパワーオン状態であったと判断することができる。第一の制御部１３は、このような判断に基づき、負荷回路１２への給電の停止時に負荷回路１２がパワーオン状態であったことを示す情報、或いは負荷回路１２への給電の停止時に負荷回路１２がパワーオフ状態であったことを示す情報を生成し、内部の不揮発性メモリ１３ｍに記憶する。
【０１０５】
図７は、第一の固定回路３、及び第一のスイッチ部５の具体例を示す。
図示の例では、第一の固定回路３は、例えばコンデンサ３０１と抵抗３０２の直列回路で構成され、第一のスイッチ部５は、図示のように接続されたＰチャネルＭＯＳＦＥＴ５０１、抵抗５０２、コンデンサ５０３、抵抗５０４及び５０５、ＮＰＮトランジスタ５０６、及びダイオード５０７で構成されている。
ＦＥＴ５０１は、ゲートＧの電位が閾値よりも低いときにソースＳとドレインＤの間が導通する（オン状態となる）。
【０１０６】
図６の第二の固定回路４、及び第二のスイッチ部８も、第一の固定回路３、及び第一のスイッチ部５と同様に、図８に示すように構成することができる。
即ち、図８において、第二の固定回路４は、例えばコンデンサ４０１と抵抗４０２の直列回路で構成され、第二のスイッチ部８は、図示のように接続されたＰチャネルＭＯＳＦＥＴ８０１、抵抗８０２、コンデンサ８０３、抵抗８０４及び８０５、ＮＰＮトランジスタ８０６、及びダイオード８０７で構成されている。
ＦＥＴ８０１は、ゲートＧの電位が閾値よりも低いときにソースＳとドレインＤの間が導通する（オン状態となる）。
【０１０７】
メイン電源２の出力電圧Ｖ０が立ち上がると第二の固定回路４内のコンデンサ４０１と抵抗４０２の直列回路によって、第二の固定回路４の出力Ｄ４が一定時間Ｈ状態となり、これにより、第二のスイッチ部８内のトランジスタ８０６がオンとなる。トランジスタ８０６がオンとなると、抵抗８０２及びコンデンサ８０３の並列回路と、抵抗８０４及びトランジスタ８０６の直列回路を介して電流が流れ、ＦＥＴ８０１のゲートが低電位となり、ＦＥＴ８０１がオンとなり、メイン電源２の出力電圧Ｖ０が第二のスイッチ部８を介して充電型電源１０に供給される。
【０１０８】
同様に、メイン電源２の出力電圧Ｖ０が立ち上がると第一の固定回路３内のコンデンサ３０１と抵抗３０２の直列回路によって、第一の固定回路３の出力Ｄ３が一定時間Ｈ状態となり、これにより、第一のスイッチ部５内のトランジスタ５０６がオンとなる。トランジスタ５０６がオンとなると、抵抗５０２及びコンデンサ５０３の並列回路と、抵抗５０４及びトランジスタ５０６の直列回路を介して電流が流れ、ＦＥＴ５０１のゲートが低電位となり、ＦＥＴ５０１がオンとなり、メイン電源２の出力電圧Ｖ０が第一のスイッチ部５を介して第一の制御部１３に供給される。
【０１０９】
メイン電源２の出力電圧Ｖ０の立ち上がりから所定の時間が経過して、第一の固定回路３の出力Ｄ３がＬ状態となっても、第二の制御部１４の制御信号Ｄ１４ａがＨ状態になることで、第一のスイッチ部５内のトランジスタ５０６がオンに保たれ、その結果ＦＥＴ５０１がオンに保たれ、メイン電源２の出力電圧Ｖ０が第一のスイッチ部５を介して第一の制御部１３及び負荷回路１２に供給され続ける。
【０１１０】
同様にメイン電源２の出力電圧Ｖ０の立ち上がりから所定の時間が経過して、第二の固定回路４の出力Ｄ４がＬ状態となっても、第二の制御部１４の制御信号Ｄ１４ｂがＨ状態になることで、第二のスイッチ部８内のトランジスタ８０６がオンに保たれ、その結果ＦＥＴ８０１がオンに保たれ、メイン電源２の出力電圧Ｖ０が第二のスイッチ部８を介して充電型電源１０に供給され続ける。
【０１１１】
図９（ａ）〜（ｇ）は、図６のメイン電源２からの電力供給が開始されたときの、固定回路４、５の出力、及びスイッチ部５、８の動作を示す。
交流電圧入力１が接続されてメイン電源２の出力Ｖ０がＬ状態からＨ状態に立ち上がると（図９（ａ）の時刻ｔａ）、第一及び第二の固定回路３、４の出力信号Ｄ３、Ｄ４は所定の持続時間Ｈ状態を持続する（図９（ｂ）、（ｃ）のＴｃ３、Ｔｃ４）。第一及び第二の固定回路３、４の出力Ｄ３、Ｄ４がＨ状態になることによって、若干の遅延を伴って第一及び第二のスイッチ部５、８がオン状態に変化する（図９（ｄ）、（ｅ）の時刻ｔｂ）。
その結果さらに若干の遅延を伴って第一のスイッチ部５の出力電圧Ｖ１及び充電型電源１０の出力電圧Ｖ２が立ち上がり（図９（ｆ）、（ｇ）の時刻ｔｃ）、第一及び第二の制御部１３、１４による制御を開始することが可能となる。
【０１１２】
以上、第二のスイッチ部８がオン状態となってから充電型電源１０が充電される場合を説明したが、充電型電源１０が予め充電されている場合には、充電型電源１０の出力電圧Ｖ２は、図９（ｇ）に点線で示すように、実線で示す立ち上がりよりも前からＨ状態にあり、第二の制御部１４はそれ以前から制御を継続して行っている。
【０１１３】
なお、図９（ｂ）、（ｃ）では第一及び第二の固定回路３、４の出力信号Ｄ３、Ｄ４がＨ状態である時間（Ｔｃ３、Ｔｃ４）が同一であるものとして描かれているが、これらの時間が互いに異なっていても良い。
【０１１４】
図１０（ａ）〜（ｍ）は、図６の装置において、メイン電源２からの電力供給が開始されたときの、各部の動作を示す。
交流電圧入力１が接続されてメイン電源２の出力Ｖ０がＬ状態からＨ状態に立ち上がると（図１０（ａ）の時刻ｔａ）、第一及び第二の固定回路３、４の出力信号Ｄ３、Ｄ４は所定の持続時間Ｈ状態を持続する（図１０（ｂ）、（ｃ）のＴｃ３、Ｔｃ４）。第一及び第二の固定回路３、４の出力Ｄ３、Ｄ４がＨ状態になることによって、若干の遅延を伴って第一及び第二のスイッチ部５、８がオン状態に変化する（図１０（ｄ）、（ｅ）の時刻ｔｂ）。
【０１１５】
その結果さらに若干の遅延を伴って、第一のスイッチ部５の出力電圧Ｖ１及び充電型電源１０の出力電圧Ｖ２が立ち上がり（図１０（ｆ）、（ｉ）の時刻ｔｃ）、第一及び第二の制御部１３、１４による制御を開始することが可能となる。
【０１１６】
なお、上記と同様充電型電源１０が予め充電されていない場合を想定している。充電型電源１０が予め充電されている場合には、充電型電源１０の出力電圧Ｖ２は、図１０（ｆ）に点線で示すように、実線で示す立ち上がりよりも前からＨ状態にある。
【０１１７】
上記のように、交流電圧入力１が接続されてメイン電源２の出力Ｖ０がＨ状態に立ち上がると（ｔａ）、第二のリセット回路１１からリセットパルスＤ１１が出力される（図１０（ｇ））。このリセットパルスＤ１１によって第二の制御部１４は初期化状態になる。即ち、リセットパルスＤ１１が立ち下がった時点（ｔｄ）で、電源入力端子１４ｐへの印加電圧、即ち充電型電源１０の出力電圧Ｖ２がＨ状態であることを条件として、第二の制御部１４の初期化が開始される（図１０（ｈ））。
【０１１８】
図１０（ｂ）、（ｃ）に示すように、第一及び第二の固定回路３、４の出力信号Ｄ３、Ｄ４がＨ状態にある間に、第二の制御部１４は初期化を終了し、オン／オフ情報ＰＤＳの入力を待つ状態に移行する（図１０（ｈ）の時刻ｔｅ）。（言い換えると、第二の制御部１４が初期化を完了するまで、出力信号Ｄ３、Ｄ４がＨ状態に保つように固定回路３、４が構成されている。このため、リセットパルスＤ１１の持続時間よりも、信号Ｄ３、Ｄ４がＨ状態に保たれる時間（持続時間）Ｔｃ３、Ｔｃ４が長く設定される。）上記のオン／オフ情報ＰＤＳを待つ状態に移行したときに第二の制御部１４は、制御信号Ｄ１４ａ、Ｄ１４ｂをＨ状態にする（図１０（ｌ）、（ｍ）の時刻ｔｅ）。制御信号Ｄ１４ａ、Ｄ１４ｂは、それぞれスイッチ部５、８に供給され、これにより、スイッチ部５、８のオン状態が維持される。この結果、第一の制御部１３及び負荷回路１２と、充電型電源１０への電力供給が持続し、従って第二の制御部１４への電力供給も持続し、これにより安定状態が維持される。
【０１１９】
上記のように、第一の固定回路３の出力信号Ｄ３がＨ状態になることで、第一のスイッチ部５がオン状態になり（図１０（ｄ）の時刻ｔｂ）、第一の制御部１３及び負荷回路１２への電力供給が開始される（図１０（ｉ）の時刻ｔｃ）と、第一のリセット回路９からリセットパルスＤ９が出力される（図１０（ｊ））。このリセットパルスＤ９によって第一の制御部１３は初期化状態になる。即ち、リセットパルスＤ９が立ち下がった時点（ｔｆ）で、電源入力端子１３ｐへの印加電圧、即ち、第一のスイッチ部５の出力電圧Ｖ１がＨ状態であることを条件として、第一の制御部１３の初期化が開始される（図１０（ｋ））。
【０１２０】
第一の制御部１３は初期化の段階で、負荷回路１２の状態を示す情報を読み込むなどの処理を行うので、第一の制御部１３の初期化には、第二の制御部１４の初期化よりも時間を必要とする場合があるが、上記した第二の制御部１４のオン／オフ情報ＰＤＳを待つ状態における、制御信号Ｄ１４ａ、Ｄ１４ｂをＨ状態にする処理によって、スイッチ部５、８がオン状態に維持されるため、第一の制御部１３及び負荷回路１２への電力供給が途絶えることはない。
【０１２１】
第一の制御部１３は、初期化が終わると、負荷回路１２の制御を開始する（図１０（ｋ）の時刻ｔｇ）。
第一の制御部１３は、負荷回路１２の制御を開始するとともに、動作状態情報ＬＤＳのうちのオン／オフ情報ＰＤＳを第二の制御部１４に伝送する。
第二の制御部１４は、オン／オフ情報ＰＤＳを受けると、それ以降（ｔｈ以降）は、第一のスイッチ部５のオン、オフを、オン／オフ情報ＰＤＳに基づいて制御する（図１０（ｄ））とともに、第二のスイッチ部８のオン、オフを、充電型電源１０の出力電圧Ｖ２に基づいて制御する（図１０（ｅ））。また、同時に、割り込み信号生成部１５からの出力信号Ｄ１５に応じた第一の制御部１３及び負荷回路１２の制御、これに伴う第一のスイッチ部５に対する制御も可能になる。
【０１２２】
上記のように、負荷回路１２がパワーダウンした場合には、そのとき動作状態情報（負荷回路１２の状態を示す情報）ＬＤＳが負荷回路１２から第一の制御部１３に送信され、第一の制御部１３において、その内部の不揮発性メモリ１３ｍに保持する。
【０１２３】
動作状態情報ＬＤＳには、負荷回路１２の種々の動作状態を示す設定値が含まれる。例えば、負荷回路１２が映像表示及び音声出力の機能を有するものである場合、明るさの設定値や、音量の設定値が含まれる。
【０１２４】
また、メイン電源２から負荷回路１２への給電（電源端子１２ｐへの電圧印加）が停止したときに、負荷回路１２がパワーオン状態であったか、パワーオフ状態であったかを示す情報、即ちオン／オフ情報ＰＤＳが、動作状態情報ＬＤＳの一部として、第一の制御部１３の不揮発性メモリ１３ｍに保持される。
負荷回路１２のパワーオン状態とは、負荷回路１２の本来の動作（負荷回路１２が映像表示装置であれば、映像の表示）のためのプログラムが立ち上がった状態、従って、本来の動作を行っている状態を言い、パワーオフ状態とは、上記のプログラムによる負荷回路１２の動作が終了し、従って負荷回路１２が本来の動作をしていない状態を言う。オン／オフ情報の生成については後述する。
【０１２５】
第一の制御部１３は初期化後、負荷回路１２に対して制御データＤ１３ｃを供給することで負荷回路１２を制御する動作を実施するが、同時に第二の制御部１４へオン／オフ情報ＰＤＳを出力する（図１０（ｋ）の時刻ｔｈ）。
【０１２６】
第一の制御部１３が、負荷回路１２がパワーオン状態であったことを示すオン／オフ情報ＰＤＳを出力したときは、第二の制御部１４は、第一のスイッチ部５のオン状態が持続するように制御し、負荷回路１２がパワーオン状態に復帰できるように電力供給を続ける。
第一の制御部１３が、負荷回路１２がパワーオフ状態であったことを示すオン／オフ情報ＰＤＳを出力したときは、第二の制御部１４は、第一のスイッチ部５がオフ状態（開放乃至遮断状態）になるように制御する。この結果、第一の制御部１３及び負荷回路１２への電力供給が停止されたままとなる。この状態を待機状態と言う。待機状態において、第一の制御部１３及び負荷回路１２への電力供給を停止することにより、消費電力（待機時消費電力）を小さくすることができる。
【０１２７】
充電型電源１０の出力電圧Ｖ２が十分に高く（Ｈ状態であり）、負荷回路１２がパワーオフ状態にあるときに、割り込み信号生成部１５が、割り込み信号の一つであるパワーオン命令信号を第二の制御部１４へ供給すると、第二の制御部１４は、制御信号Ｄ１４ａをＨ状態にすることで、第一のスイッチ部５をオン状態にして、第一の制御部１３及び負荷回路１２への電力供給を開始させるように制御を行うとともに、第一の制御部１３の初期化が終了したタイミングで（予め定められた時間の経過後に）、第一の制御部１３及び負荷回路１２がパワーオン状態になるように、第一の制御部１３へパワーオンのための制御信号Ｄ１４ｃを出力する。
【０１２８】
充電型電源１０の出力電圧Ｖ２がＨ状態であり、負荷回路１２がパワーオン状態にあるときに、割り込み信号生成部１５が第二の制御部１４へパワーオフ命令信号を出力すると、第二の制御部１４は、まず、第一の制御部１３及び負荷回路１２がパワーオフ状態になるように、第一の制御部１３へパワーオフのための制御信号Ｄ１４ｃを出力する。第一の制御部１３及び負荷回路１２が安定してパワーオフ状態になった後に（予め定められた時間の経過後に）、第二の制御部１４は制御信号Ｄ１４ａをＬ状態にすることで、第一のスイッチ部５がオフ（開放）状態になるように制御を行なう。
このようにメイン電源２からの電力が供給されている間でも、第一の制御部１３及び負荷回路１２をパワーオフ状態にしたときには、第一の制御部１３及び負荷回路１２は、メイン電源２から切り離されて、待機状態に移行する。その結果、消費電力（待機時消費電力）が抑制される。
【０１２９】
なお、第一のスイッチ部５からの給電が停止した瞬間に第一のリセット回路９が第一の制御部１３へ給電停止検出用のリセットパルスを出力するように構成して、第一の制御部１３を安定したパワーオフ状態へ移行させることとすれば、第二の制御部１４による第一のスイッチ部５をオフにする制御のタイミングは、上記と異なっていても良く、割り込み信号生成部１５からパワーオフ命令信号を受け取ったとき、第一の制御部１３へパワーオフのための制御信号Ｄ１４ｃを出力する前に、第一のスイッチ部５に対する制御信号Ｄ１４ａをＬ状態にし、これにより、第一のスイッチ部５がオフ状態になるように制御を行っても良い。
【０１３０】
図１１（ａ）及び（ｂ）は、図６の充電型電源１０の出力電圧Ｖ２及びそれに応じた第二のスイッチ部８の動作を示す。上記のように、第二の制御部１４は、第一の制御部１３からオン／オフ情報ＰＤＳが供給されると（図１０（ｋ））、該オン／オフ情報ＰＤＳに基づく第二のスイッチ部８の制御を開始する（図１０（ｈ）の時刻ｔｈ）。第二のスイッチ部８に対する制御は、第一のスイッチ部５に対する制御とは非同期に、即ち異なる要因に基づいて行われる。
【０１３１】
図１１（ａ）は第二のスイッチ部８の状態を、図１１（ｂ）は充電型電源１０の出力電圧Ｖ２を示す。第二の制御部１４は、充電型電源１０の出力電圧Ｖ２を検出して、設定された閾値Ｖ２ｔよりも低くなったときは、制御信号Ｄ１４ｂをＨ状態にし、これにより第二のスイッチ部８をオン状態にするように制御を行う。
【０１３２】
その後、所定の時間Ｔｅが経過したときに制御信号Ｄ１４ｂをＬ状態に戻すと、その結果第二のスイッチ部８がオフとなる（図１１（ｂ））。所定の時間Ｔｅは、充電型電源１０を十分に充電するのに要する時間として予め設定されたものである。
【０１３３】
代わりに、図１２（ａ）、（ｂ）に示すように制御を行っても良い。即ち、電圧Ｖ２に対する上限閾値Ｖ２ｕを設定して電圧Ｖ２が上限閾値Ｖ２ｕよりも高くなったときに（図１２（ｂ））、制御信号Ｄ１４ｂをＬ状態に戻し、これにより、第二のスイッチ部８をオフ状態に戻す（図１２（ａ））こととしてもよい。この場合にも、電圧Ｖ２が閾値（下限閾値）Ｖ２ｔまで下がったら、制御信号Ｄ１４ｂをＨ状態にして第二のスイッチ部８をオン状態とする。
【０１３４】
第二のスイッチ部８がオフ状態であるときは、第二の制御部１４がメイン電源２から切り離されているので、第一の制御部１３及び負荷回路１２がパワーオン状態であるが、第二の制御部１４による電力消費が無く、電子機器全体として消費電力が軽減されている。このように消費電力が軽減されている期間は、第一の制御部１３及び負荷回路１２がパワーオフ状態であるときの期間（その間の消費電力を「待機消費電力」と言う）とは別の、消費電力が抑制されている、さらなる期間（消費電力軽減期間）である。
【０１３５】
また、第二の制御部１４は第一のスイッチ部５に対する制御とは非同期に、即ち独立して、第二のスイッチ部８を制御するように構成されているため、充電型電源１０の出力電圧Ｖ２に対する閾値（Ｖ２ｔ、Ｖ２ｕ）の設定、第二のスイッチ部８のオン状態持続時間（Ｔｅ）の設定を、第二の制御部１４で消費される電力に応じて最適に設定することが可能となる。その結果、メイン電源２に対して、第二のスイッチ部８よりも後段の負荷が接続される時間を極力短くすることが可能となり、消費電力が軽減されている期間を長くすることができる。
【０１３６】
図１３は、図６の第二の制御部１４の処理手順の一例を示す。図１３では、処理の優先順位を明らかにすることを主な目的とし、それ以外の詳細を省略している。
第二のリセット回路１１からのリセットパルスＤ１１が入力されることによって、第二の制御部１４はリセットされ（ＳＴ１１）、初期化処理を実行する（ＳＴ１２）。
次に第二の制御部１４は第一の制御部１３からのオン／オフ情報ＰＤＳの受信を待つ状態に移行する（ＳＴ１３）。
オン／オフ情報ＰＤＳを待つ状態において、制御信号Ｄ１４ａ、Ｄ１４ｂをＨ状態に維持することでスイッチ部５、８をオン状態に維持する（ＳＴ１４）。
【０１３７】
ここで第二の制御部１４は、処理メインループの実行を開始し（ＳＴ１５）、メイン電源２の出力電圧Ｖ０の有無を確認する（ＳＴ１６）。これはその端子１４ｓの電圧を調べることで行われ、所定の閾値Ｖ０ｔｈ以上であれば電圧「有り」と判断され、そうでなければ電圧「無し」と判断される。そして、その確認結果に応じてスイッチ部５、８を制御する（ＳＴ１７）。このように、メイン電源２の出力電圧Ｖ０の有無に基づくスイッチ部５、８の制御のための処理が最も優先して（他の制御のための処理よりも先に）行われる。これにより、停電などで交流電圧入力１が遮断した場合（Ｌ状態となった場合）でも、迅速に安定した状態を持続できる。
【０１３８】
第二の制御部１４は、第一の制御部１３からのオン／オフ情報ＰＤＳが供給されると、これを入力し（ＳＴ１８）、入力したオン／オフ情報ＰＤＳに応じて、第一のスイッチ部５を制御する（ＳＴ１９）。
第二の制御部１４は、オン／オフ情報ＰＤＳに基づく、第一のスイッチ部５の制御に当たり、第一のスイッチ部５を、オン／オフ情報ＰＤＳで示される状態に対応した状態になるように制御を行う。
即ち、入力されたオン／オフ情報ＰＤＳが、前回メイン電源２からの給電が停止したときに、負荷回路１２がパワーオン状態であったことを示すものであるときは、第二の制御部１４は、第一のスイッチ部５のオン状態が持続するように制御し、第一の制御部１３及び負荷回路１２がパワーオン状態に復帰できるように電力供給を続ける。
一方、入力されたオン／オフ情報ＰＤＳが、前回メイン電源２からの給電が停止したときに、負荷回路１２がパワーオフ状態であったことを示すものであるときは、第二の制御部１４は、第一のスイッチ部５がオフ状態になるように制御する。この結果、負荷回路１２及び第一の制御部１３に電力が供給されない状態となり、消費電力（待機時消費電力）が抑制される。
【０１３９】
最後に第二の制御部１４は、充電型電源１０の出力電圧Ｖ２のレベルを検出し（ＳＴ２０）、検出した電圧Ｖ２のレベルに応じて第二のスイッチ部８を図１１（ａ）、（ｂ）又は図１２（ａ）又は（ｂ）に示すように制御する（ＳＴ２１）。第二のスイッチ部８の制御により、メイン電源２の負荷が軽減される。
【０１４０】
このように、オン／オフ情報ＰＤＳの入力、及び入力したオン／オフ情報ＰＤＳに基づく第一のスイッチ部５の制御のための処理（ＳＴ１８、ＳＴ１９）は、メイン電源２の出力電圧Ｖ０の有無の確認、及びこの確認結果に基づくスイッチ部５、８の制御のための処理（ＳＴ１６、ＳＴ１７）よりも低い優先度で実施される一方、充電型電源１０の出力電圧Ｖ２のレベルのチェック、及びチェック結果に基づく第二のスイッチ部８の制御のための処理（ＳＴ２０、ＳＴ２１）よりも優先して行われる。即ちこれらの３つの制御のための処理のうち、メイン電源２の出力電圧Ｖ０の有無の確認及びこの確認結果に基づくスイッチ部５、８の制御のための処理（ＳＴ１６、ＳＴ１７）が最も優先度が高く、オン／オフ情報ＰＤＳの入力、及び入力したオン／オフ情報ＰＤＳに基づく第一のスイッチ部５の制御のための処理（ＳＴ１８、ＳＴ１９）が次に優先度が高く、充電型電源１０の出力電圧Ｖ２のレベルのチェック、及びチェック結果に基づく第二のスイッチ部８の制御のための処理（ＳＴ２０、ＳＴ２１）が最も優先度が低い。
【０１４１】
メイン電源２から電力供給が開始された直後には、第二の制御部１４は、充電型電源１０の出力電圧Ｖ２のレベルに関係なく制御信号Ｄ１４ｂをＨ状態に維持して、第二のスイッチ部８をオン状態に維持するので、充電型電源１０の出力電圧Ｖ２のレベルのチェックのための処理の優先度を下げる（ステップＳＴ１６、ＳＴ１７、ＳＴ１８、ＳＴ１９などよりもステップＳＴ２０、ＳＴ２１を後にする）ことができる。
【０１４２】
第二の制御部１４による処理の、優先順位に応じてループ内の処理頻度を異ならせることとしても良い。例えば、メイン電源２の出力電圧Ｖ０の有無をチェックする処理の頻度を処理メインループ内に複数配置しても良く、あるいはタイマーを設定してメイン電源２の出力電圧Ｖ０の有無のチェックのための処理を割り込みで実施しても良い。
【０１４３】
図１４は、実施の形態３の第二の制御部１４の処理における割り込み信号生成部１５からの入力処理の禁止範囲を示す。図１４で図１３と同じ符号は同じ処理を示す。図１４では、ステップＳＴ１５とステップＳＴ１６の間で、割り込み禁止処理（ＳＴ３１）が行われ、ステップＳＴ１９とステップＳＴ２０の間で、割り込み処理許可（ＳＴ３２）が行われる。割り込み禁止処理（ＳＴ３１）により、割り込み禁止が開始され、割り込み処理許可（ＳＴ３２）により割り込み禁止が解除される。この結果、メイン電源２の出力電圧Ｖ０の有無の確認及びこの確認の結果に応じた第一のスイッチ部５及び第二のスイッチ部８に対する制御（ＳＴ１６、ＳＴ１７）、オン／オフ情報ＰＤＳの入力、及び入力したオン／オフ情報ＰＤＳの内容に応じた第一のスイッチ部５の制御（ＳＴ１８、ＳＴ１９）の間は、パワーオン、パワーオフ命令信号のような割り込み信号処理が禁止される。このようにすることで、装置全体を安定に保つとともに消費電力を抑制することができるようになる。
【０１４４】
図１５は、実施の形態３に係る第二の制御部１４による、メイン電源２の出力電圧Ｖ０に応じたスイッチ部５、８の制御の例を示す。
図１５において、図１３及び図１４と同じ符号は同じ処理を示す。
図１５では、ステップＳＴ３１の次にステップＳＴ４１において、第二の制御部１４はメイン電源２の出力電圧Ｖ０の有無を確認して（ＳＴ４１）、メイン電源２の出力電圧Ｖ０が無いとき（ＳＴ４１で「ＮＯ」のとき）には、停電などで交流電圧入力１が遮断したと判定して、スイッチ部５、８をオフ状態に固定し（ＳＴ４２）、交流電圧入力が復活することでメイン電源２の出力電圧Ｖ０が定常動作値（Ｈ状態）に復帰するまで（ＳＴ４３で「ＹＥＳ」となるまで）は、スイッチ部５、８がオフ状態を維持するように処理させている。
【０１４５】
メイン電源２の出力電圧Ｖ０がＨ状態に復帰したときには（ＳＴ４３で「ＹＥＳ」となったときには）、図６の第二のリセット回路１１がリセットパルスＤ１１を出力することで、第二の制御部１４の電源入力端子１４ｐへの印加電圧、即ち充電型電源１０の出力電圧Ｖ２がＨ状態であることを条件として、第二の制御部１４がリセットされて初期化を行う処理から再スタートする。即ち、第二の制御部１４を構成するマイコンがハードウェアリセットされる。
【０１４６】
この構成であると、メイン電源２の出力電圧Ｖ０が無くなってから復帰するまで（ステップＳＴ４１で「ＮＯ」となってからステップＳＴ４３で「ＹＥＳ」となるまで）、割り込み信号処理が禁止されているため、装置全体を安定に保つとともに、消費電力を抑制することができる。
また、メイン電源２の出力電圧Ｖ０が無くなってから復帰するまで（ステップＳＴ４１で「ＮＯ」となってから、ステップＳＴ４３でＹＥＳとなるまで）、オン／オフ情報ＰＤＳに基づく第一のスイッチ部５の制御のための処理（ＳＴ１８、ＳＴ１９）、及び充電型電源１０の出力電圧Ｖ２に基づく第二のスイッチ部８の制御のための処理（ＳＴ２０、ＳＴ２１）は行われない。この意味で、メイン電源２の出力電圧Ｖ０に基づく第一及び第二のスイッチ部５、８に対する制御が、オン／オフ情報ＰＤＳに基づく第一のスイッチ部５の制御（ＳＴ１８、ＳＴ１９）、及び充電型電源１０の出力電圧Ｖ２に基づく第二のスイッチ部８の制御（ＳＴ２０、ＳＴ２１）よりも優先して行われると言える。
【０１４７】
図１６（ａ）〜（ｄ）は、図６の第二の制御部１４の処理のうち、メイン電源２の出力電圧Ｖ０が無いときにスイッチ部５、８をオフ状態に制御する動作を示す。メイン電源２の出力電圧Ｖ０が有る間は、第一のスイッチ部５は、オン／オフ情報ＰＤＳに応じて制御されており、第二のスイッチ部８は、充電型電源１０の出力電圧Ｖ２に応じて制御されているが、メイン電源２の出力電圧Ｖ０が無くなると（図１６（ａ）の時刻ｔｊ）、若干の遅れ時間の後第二の制御部１４は、それ以降スイッチ部５、８をオフ状態に維持するように制御する（図１６（ｂ）、（ｃ）の時刻ｔｋ以降）。
【０１４８】
第二のスイッチ部８がオフ状態を続けることで充電型電源１０の出力は低下を続け（図１６（ｄ））、上記した閾値Ｖ２ｔよりも低くなるが、メイン電源２の出力電圧Ｖ０が無いことが優先されて、第二のスイッチ部８のオフ状態が持続する。
【０１４９】
このように構成されることで、メイン電源２の出力電圧Ｖ０が無くなると、待機状態（スイッチ部５、８がオフし、負荷回路１２、第一の制御部１３及び第一のリセット回路９への給電が行なわれない状態）を安定して継続するとともに、メイン電源２の出力電圧Ｖ０が復帰したときに、安定して元の状態に戻ることができる。
【０１５０】
実施の形態４．
図１７は、本発明の実施の形態４の電源供給装置を示す。
実施の形態４の電源供給装置は、図６に示す実施の形態３の電源供給装置と概して同じであるが、以下の点で異なる。
【０１５１】
即ち、図６の構成に加えて、例えば発光ダイオード１７で構成されたインジケータ素子と、抵抗１６と、ＮＰＮ型トランジスタ１８とを備えている。抵抗１６の一端は充電型電源１０の出力側に接続され、発光ダイオード１７のアノードは抵抗１６の他端に接続され、発光ダイオード１７のカソードはトランジスタ１８のコレクタに接続され、トランジスタ１８のエミッタは接地され、トランジスタ１８のベースは第二の制御部１４の制御信号Ｄ１４ｄを受ける。
【０１５２】
制御信号Ｄ１４ｄによって制御されて、トランジスタ１８がオンとなると、抵抗１６及び発光ダイオード１７を介して電流が流れ、発光ダイオード１７が発光する。トランジスタ１８を断続的にオンとすると、発光ダイオード１７は点滅を繰り返す。
【０１５３】
図１８は、図１７のブロック構成図において第二の制御部１４が発光ダイオード１７を駆動する処理の一例を示す。
【０１５４】
第二の制御部１４はメイン電源２の出力電圧Ｖ０の有無を確認して（ＳＴ４１）、メイン電源２の出力電圧Ｖ０が無いとき（ＳＴ４１で「ＮＯ」のとき）には、停電などで交流電圧入力１が遮断したと判定して、スイッチ部５、８をオフ状態に固定し（ＳＴ４２）、発光ダイオード１７を、点灯もしくは点滅させるように駆動する（ＳＴ５１）。
【０１５５】
メイン電源２の出力電圧Ｖ０が復帰するまで（ステップＳＴ４３で「ＹＥＳ」となるまで）は、スイッチ部５、８をオフ状態に維持し（ＳＴ４２）、発光ダイオード１７の駆動を維持する（ＳＴ５１）。
【０１５６】
メイン電源２の出力電圧Ｖ０が復帰したとき（ステップＳＴ４３で「ＹＥＳ」となったとき）には、図６の第二のリセット回路１１がリセットパルスＤ１１を出力することで、第二の制御部１４がリセットされて初期化を行う処理から再スタートする。再スタートすることで発光ダイオード１７の駆動は停止する。
【０１５７】
図１９（ａ）〜（ｄ）は、図１７に示される第二の制御部１４が発光ダイオード１７を駆動する処理の一例を示す。図１９（ａ）〜（ｃ）は、図１６（ａ）〜（ｃ）と同じである。
メイン電源２の出力電圧Ｖ０が無くなると（図１９（ａ）のｔｊ）、第二の制御部１４は、若干の遅れ時間の後スイッチ部５、８をオフ状態に維持するように制御する（図１９（ｂ）、（ｃ）の時刻ｔｋ）。同時に第二の制御部１４は発光ダイオード１７の点灯あるいは点滅駆動を開始する（図１９（ｄ））。
【０１５８】
このように構成することで、メイン電源２の出力電圧Ｖ０が無くなると、極力消費電力を少なくした待機状態を安定して継続するとともに、発光ダイオード１７によってユーザーにメイン電源２の出力電圧Ｖ０の消失を知らせるとともに、交流電圧入力１の状態確認を促すことが可能になる。一方、メイン電源２の出力電圧Ｖ０が復帰したときに、安定して元の状態に戻すことができる。
【０１５９】
実施の形態５．
本発明の実施の形態５の電源供給装置の構成は図６に示すのと同様であるが、第二の制御部１４の動作が異なる。
図２０は、実施の形態５における第二制御部１４の処理の一例を示す。図２０で図１５と同じ符号は同じ処理を示す。異なるのは図１５のステップＳＴ４３の代わりにステップＳＴ６１が設けられている点である。
【０１６０】
図２０に示される処理では、第二の制御部１４が、メイン電源２の出力電圧Ｖ０の復帰を待機してスリープモードに移行して、スリープモードでの動作を行なう。スリープモードにおいては、再起動に必要な部分、例えば再起動に必要なデータを記憶するメモリにのみ給電が行われ、それ以外の部分への給電が行わない。
【０１６１】
第二の制御部１４はメイン電源２の出力電圧Ｖ０の有無を確認して（ＳＴ４１）、メイン電源２の出力電圧Ｖ０が無いとき（ステップＳＴ４１で「ＮＯ」のとき）には、停電などで交流電圧入力１が遮断したと判定して、スイッチ部５、８をオフ状態に固定し（ＳＴ４２）、第二の制御部１４を構成するマイコンなどの素子はスリープモードに移行する（ＳＴ６１）。
【０１６２】
交流電圧入力が復活することでメイン電源２の出力電圧Ｖ０が復帰するまでは、スイッチ部５、８をオフ状態に維持し、同時にスリープモードを維持するように処理させている。
【０１６３】
スリープモード（ＳＴ６１）においても、メイン電源２の出力電圧Ｖ０が復帰したときには、図６の第二のリセット回路１１がリセットパルスＤ１１により第二の制御部１４をリセットし（ＳＴ１１）を出力することで、第二の制御部１４がリセットされて初期化を行う処理から再スタートする。
【０１６４】
このように構成されることで、メイン電源２の出力電圧Ｖ０が無くなると、消費電力を一層少なくした状態（スイッチ部５、８がオフし、負荷回路１２、第一の制御部１３及び第一のリセット回路９への給電が行なわれないのみならず、第二の制御部１４がスリープ状態にある状態）で安定して長時間継続するとともに、メイン電源２の出力電圧Ｖ０が復帰したときに、安定して元の状態に戻ることができる。
【０１６５】
実施の形態６．
図２１は、本発明の実施の形態６の映像表示装置を示す。図２１の実施の形態は、図６の電子機器が映像表示装置である場合に相当し、図６における負荷回路１２が映像表示のための処理を行う回路で構成されており、映像信号ＶＤが負荷回路１２に入力される。映像信号ＶＤは、静止画を表すものであっても良く、動画を表すものであっても良い。上記以外の点で図２１の実施の形態は図６の実施の形態と同じである。
【０１６６】
なお、各実施の形態において第一の制御部１３は、負荷回路１２の全体を制御するものであり、制御には複雑で高速な処理が必要になる。これに対して、第二の制御部１４が行う処理は、充電型電源１０の出力電圧Ｖ２のレベルの検出、メイン電源２の出力電圧Ｖ０の有無の検出、第二のリセット回路１１から出力されるリセットパルスＤ１１の検出、割り込み信号Ｄ１９の入力検出、オン／オフ情報ＰＤＳの入力、第一の制御部１３への割り込み信号Ｄ１４ｃの出力、第一のスイッチ部５の制御を目的とした第一のスイッチ部５への制御信号Ｄ１４ａの出力、第二のスイッチ部８の制御を目的とした第二のスイッチ部８への制御信号Ｄ１４ｂの出力などであり、第二の制御部１４の処理は、第一の制御部１３よりも低速であっても良い。そこで、第二の制御部１４の動作クロックは、第一の制御部１３の動作クロックよりも低周波数のものであっても良い。第二の制御部１４が第一の制御部１３よりも低速であることで、第二の制御部１４の消費電力を減らすことができ、第一の制御部１３及び負荷回路１２がパワーオフしている状態、従って第二の制御部１４だけが動作している状態において、より消費電力が抑制されることになる。
【０１６７】
以上実施の形態４〜６を実施の形態３に対する変形例或いは応用例として説明したが、実施の形態１、２に対しても同様の変形を加え、或いは実施の形態１、２も同様に応用することができる。
【符号の説明】
【０１６８】
１  交流電圧入力、  ２  メイン電源、  ３  第一の固定回路、  ４  第二の固定回路、  ５  第一のスイッチ部、  ６  固定回路、  ７  充電型電源電圧検出回路、  ８  第二のスイッチ部、  ９  第一のリセット回路、  １０  充電型電源、  １１  第二のリセット回路、  １２  負荷回路、  １３  第一の制御部、  １４  第二の制御部、  １５  割り込み信号生成部、  １６  抵抗、  １７  発光ダイオード、  １８  トランジスタ、  １９  メイン電源電圧検出回路。
【図１】
2014014255.tif 000003
【図２】
2014014255.tif 000004
【図３】
2014014255.tif 000005
【図４】
2014014255.tif 000006
【図５】
2014014255.tif 000007
【図６】
2014014255.tif 000008
【図７】
2014014255.tif 000009
【図８】
2014014255.tif 000010
【図９】
2014014255.tif 000011
【図１０】
2014014255.tif 000012
【図１１】
2014014255.tif 000013
【図１２】
2014014255.tif 000014
【図１３】
2014014255.tif 000015
【図１４】
2014014255.tif 000016
【図１５】
2014014255.tif 000017
【図１６】
2014014255.tif 000018
【図１７】
2014014255.tif 000019
【図１８】
2014014255.tif 000020
【図１９】
2014014255.tif 000021
【図２０】
2014014255.tif 000022
【図２１】
2014014255.tif 000023